【事件の表示】
　特許第６３８６５８２号発明「生体電極および衣類」の特許異議申立事件について、次のとおり決定する。
【結　論】
　特許第６３８６５８２号の明細書及び特許請求の範囲を訂正請求書に添付された訂正明細書及び特許請求の範囲のとおり、訂正後の請求項〔１−６〕について訂正することを認める。
　特許第６３８６５８２号の請求項３ないし６に係る特許を維持する。
　特許第６３８６５８２号の請求項１及び２に係る特許についての特許異議の申立てを却下する。
【理　由】
第１　手続の経緯
　特許第６３８６５８２号の請求項１〜６に係る特許についての出願は、２０１５年（平成２７年）１２月７日（優先権主張　平成２６年１２月８日）を国際出願日とする出願であって、平成３０年８月１７日にその特許権の設定登録がされ、同年９月５日に特許掲載公報が発行された。その後、全請求項に係る特許に対し、平成３１年３月４日に特許異議申立人　谷川　康治　により特許異議の申立てがされ、令和元年５月９日付けで取消理由が通知され、同年７月１６日に意見書の提出及び訂正請求がされ、同年８月２７日に同特許異議申立人により意見書が提出され、さらに、同年９月２７日付けで取消理由（決定の予告）が通知され、同年１１月２７日に意見書の提出及び訂正請求がされたものである。
（なお、令和元年１１月２７日にした訂正請求による訂正は、審判便覧６７−０５．５の「４．」に記載の特別の事情に当たると判断し、同特許異議申立人に再度の意見書を提出する機会を与えなかった。）
第２　訂正の適否
１　訂正の内容
（１）特許権者が令和元年１１月２７日にした訂正請求による訂正（以下「本件訂正」という。）は、請求項１〜６を一群の請求項として訂正することを求めるものであり、その具体的内容は、以下の訂正事項１〜１２のとおりである。なお、下線は訂正箇所を示す（訂正事項に係る記載において以下同様。）。
ア　訂正事項１
　特許請求の範囲の請求項１を削除する。
イ　訂正事項２
　特許請求の範囲の請求項２を削除する。
ウ　訂正事項３
　特許請求の範囲の請求項３を独立形式に改めるとともに、独立形式に改めるにあたり、「第２の絶縁部材」について、請求項１において「前記コネクタと前記衣類との間を絶縁する電気絶縁性の第２の絶縁部材」と記載されているのを、請求項３において「前記第２の絶縁部材は、前記コネクタと前記衣類との間、および前記配線と前記衣類との間を絶縁し、」との記載に基づき「前記コネクタと前記衣類との間
、および前記配線と前記衣類との間
エ　訂正事項４
　特許請求の範囲の請求項３を独立形式に改めるにあたり、請求項１において「前記コネクタと前記配線の表面のうち、生体と接触する部分を被覆する電気絶縁性の第１の絶縁部材」と記載されているのを、「前記コネクタと前記配線の表面のうち、
前記衣類の生体と接触する側
　請求項３において「前記配線は、前記衣類に形成された貫通孔を通って前記衣類の生体と接触する側と反対側に引き出され、前記コネクタの前記生体と接触する側と反対側と、前記電極部とを電気的に接続する」と記載されているのを、「前記配線は、前記衣類に形成された貫通孔を通って前記衣類の生体と接触する側
の
における前記衣類の
の
オ　訂正事項５
　特許請求の範囲の請求項４において「請求項１乃至３のいずれか１項に」と記載されているのを、「請求項
３
カ　訂正事項６
　特許請求の範囲の請求項６において「請求項１乃至５のいずれか１項に」と記載されているのを、「請求項
３
キ　訂正事項７
　明細書の段落【０００６】に「前記コネクタと前記配線の表面のうち、生体と接触する部分を被覆する電気絶縁性の第１の絶縁部材と、前記コネクタと前記衣類との間を絶縁する電気絶縁性の第２の絶縁部材とを備え、前記コネクタは、生体電気信号測定装置との接続用の導電部を含み、この導電部が前記衣類の生体と接触する面と反対側の面に露出するように前記取り付け部材に固定されることを特徴とするものである。」と記載されているのを、「前記コネクタと前記配線の表面のうち、
前記衣類の生体と接触する側
、および前記配線と前記衣類との間
、前記配線は、前記衣類に形成された貫通孔を通って前記衣類の生体と接触する側の反対側に引き出され、前記コネクタにおける前記衣類の生体と接触する側の反対側と、前記電極部とを電気的に接続す
ク　訂正事項８
　明細書の段落【０００７】に「配線の表面のうち、生体と接触する部分」と記載されているのを、「配線の表面のうち、
前記衣類の生体と接触する側
ケ　訂正事項９
  明細書の段落【０００８】、【００３９】、【００５９】、【００６０】【００６１】、【００６２】、【００６４】及び【００６６】に「第１実施例」と記載されているのを、「
第２参考例
コ　訂正事項１０
  明細書の段落【００４０】、【００４１】、【００５５】及び【００５６】に「本実施例」と記載されているのを、「本
参考例
サ　訂正事項１１
  明細書の段落【０００８】及び【００５７】に「第２実施例」と記載されているのを、「
実施例
本実施例
シ　訂正事項１２
  明細書の段落【００６７】に「第２参考例」と記載されているのを、「
第３
（２）訂正の単位について
　特許請求の範囲に係る訂正事項１〜６は、一群の請求項〔１〜６〕に対して請求されたものである。また、明細書に係る訂正事項７〜１２は、一群の請求項〔１〜６〕の全てについてされたものである。
　よって、本件訂正は、特許法第１２０条の５第４項、及び同条第９項で準用する同法第１２６条第４項の規定に適合する。
２　訂正の目的の適否、新規事項の有無及び特許請求の範囲の拡張・変更の存否
（１）訂正事項１及び２について 
　訂正事項１及び２は、それぞれ、請求項１及び２を削除するという訂正であるから、いずれも、「特許請求の範囲の減縮」を目的とするものであって、新規事項の追加に該当せず、実質上特許請求の範囲を拡張し、又は変更するものでもない。
（２）訂正事項３について 
　訂正事項３は、請求項間の引用関係を解消して、独立形式請求項へ改めるための訂正であるから、「他の請求項の記載を引用する請求項の記載を当該他の請求項の記載を引用しないものとすること」を目的とするものであって、新規事項の追加に該当せず、実質上特許請求の範囲を拡張し、又は変更するものでもない。
（３）訂正事項４について
ア　訂正事項４−１について
（ア）訂正の目的の適否
　コネクタと配線を被覆した生体電極において、「前記コネクタと前記配線の表面のうち、生体と接触する部分」は存在しないことから、当該部分を明確には特定できないところ、訂正事項４−１は、「前記コネクタと前記配線の表面のうち、生体と接触する部分」を「前記コネクタと前記配線の表面のうち、前記衣類の生体と接触する側」とすることで、第１の絶縁部材で被覆する部分が、「前記コネクタと前記配線の表面のうち、前記衣類の生体と接触する側」であることを特定する訂正であるから、「明瞭でない記載の釈明」を目的とするものである。
（イ）新規事項の有無 
　本件特許明細書及び図面（以下「本件特許明細書等」という。）の段落【００２１】の「図２に示すように配線１１０３ａ，１１０３ｂを絶縁部材１１０５で覆い、生体１０００と接触しないようにするとよい。」、段落【００５４】の「図５〜図７のようにコネクタ１１０２ｃ，１１０２ｄの一部が生体１０００と接触する側に露出する場合、コネクタ１１０２ｃ，１１０２ｄの生体１０００と接触する部分を絶縁部材１１０５で覆う必要がある。コネクタ１１０２ｃ，１１０２ｄに金属製ドットボタンボタンを用いる場合、取り付け金具の生体１０００と接触する側が予め絶縁性の樹脂で被覆されているものを用いれば、コネクタ部の絶縁部材１１０５の代わりとして用いることができる。」との記載、及び、図５〜図７の生体電極において、コネクタと配線の表面のうち、衣類の生体と接触する側を絶縁部材で被覆していることが見て取れることに基づくと、訂正事項４−１は、本件特許明細書等のすべての事項を総合することにより導かれる技術的事項との関係において、新たな技術的事項を導入するものではない。
（ウ）特許請求の範囲の拡張・変更の存否 
　訂正事項４−１は、実質上特許請求の範囲を拡張し、又は変更するものではない。
イ　訂正事項４−２について
（ア）訂正の目的の適否
　コネクタと配線を被覆した生体電極において、「前記コネクタの前記生体と接触する側」は存在しないことから、当該側を明確には特定できないところ、訂正事項４−２は、「前記コネクタの前記生体と接触する側と反対側」を「前記コネクタにおける前記衣類の生体と接触する側の反対側」とすることで、電極部と電気的に接続するコネクタの側が、「前記コネクタにおける前記衣類の生体と接触する側の反対側」であることを特定する訂正であるから、「明瞭でない記載の釈明」を目的とするものである。
（イ）新規事項の有無 
　本件特許明細書等の段落【００６４】の「コネクタ１１０２ｃ，１１０２ｄを取り付けるためには、第１実施例と同様に、着衣１１００に取り付け部材１１０６ａを固定し、取り付け部材１１０６ａに電極部１１０１ａ，１１０１ｂと配線１１０３ｃ，１１０３ｄとを固定した後で、配線１１０３ｃ，１１０３ｄを貫通孔１２０１から着衣１１００の生体１０００と接触する側と反対側に引き出し、着衣１１００の貫通孔１２００，１２０１に差し込むように絶縁部材１１０７ａを装着する。」、段落【００６５】の「そして、絶縁部材１１０７ａの上に配線１１０３ｃ，１１０３ｄを沿わせるように配置した後、配線１１０３ｃ，１１０３ｄと絶縁部材１１０７ａとの貫通孔にコネクタ１１０２ｃ，１１０２ｄを挿入し、コネクタ１１０２ｃ，１１０２ｄの表裏をかしめる。これにより、コネクタ１１０２ｃ，１１０２ｄと配線１１０３ｃ，１１０３ｄと絶縁部材１１０７ａの固定と、コネクタ１１０２ｃ，１１０２ｄの絶縁被覆と、コネクタ１１０２ｃ，１１０２ｄと配線１１０３ｃ，１１０３ｄとの電気的接続を同時に達成することができる。」との記載、及び、図９の生体電極において、配線は、衣類に形成された貫通孔を通って前記衣類の生体と接触する側の反対側に引き出され、コネクタにおける前記衣類の生体と接触する側の反対側と、電極部とを接続していることが見て取れることに基づくと、訂正事項４−２は、本件特許明細書等のすべての事項を総合することにより導かれる技術的事項との関係において、新たな技術的事項を導入するものではない。
（ウ）特許請求の範囲の拡張・変更の存否 
　訂正事項４−２は、実質上特許請求の範囲を拡張し、又は変更するものではない。 
（４）訂正事項５及び６について
　訂正事項５及び６は、それぞれ、択一的に引用する請求項を削除する訂正であるから、いずれも、「特許請求の範囲の減縮」を目的とするものであって、新規事項の追加に該当せず、実質上特許請求の範囲を拡張し、又は変更するものでもない。
（５）訂正事項７〜１２について
　訂正事項７〜１２は、訂正事項１〜６に係る特許請求の範囲についての訂正に伴い、特許請求の範囲の記載と明細書の記載との整合を図るための明細書についての訂正であるから、「明瞭でない記載の釈明」を目的とするものであって、新規事項の追加に該当せず、実質上特許請求の範囲を拡張し、又は変更するものでもない。
３　小括 
　上記２のとおり、訂正事項１〜１２に係る訂正は、特許法第１２０条の５第２項ただし書第１号、第３号又は第４号に掲げる事項を目的とするものであり、かつ、同条第９項で準用する同法第１２６条第５項及び第６項の規定に適合する。
　したがって、明細書及び特許請求の範囲を、訂正請求書に添付された訂正明細書及び特許請求の範囲のとおり、訂正後の請求項〔１〜６〕について訂正することを認める。
第３　本件発明
　上記のとおり訂正が認められるから、本件特許の請求項３〜６に係る発明（以下「本件発明３」〜「本件発明６」という。）は、訂正特許請求の範囲の請求項３〜６に記載された事項により特定される、次のとおりのものである（請求項１及び２に係る発明は、本件訂正により削除されている。）。
（本件発明３）
 「【請求項３】
　衣類の生体と接触する面に固定された電気絶縁性の部材からなる取り付け部材と、
　この取り付け部材の生体と接触する面に固定された導電性の部材からなる電極部と、
　前記取り付け部材に固定された、生体電気信号測定装置との接続のためのコネクタと、
　前記取り付け部材に固定され、前記コネクタと前記電極部とを電気的に接続する配線と、
　前記コネクタと前記配線の表面のうち、前記衣類の生体と接触する側を被覆する電気絶縁性の第１の絶縁部材と、
　前記コネクタと前記衣類との間、および前記配線と前記衣類との間を絶縁する電気絶縁性の第２の絶縁部材とを備え、
　前記コネクタは、生体電気信号測定装置との接続用の導電部を含み、この導電部が前記衣類の生体と接触する面と反対側の面に露出するように前記取り付け部材に固定され、
　前記配線は、前記衣類に形成された貫通孔を通って前記衣類の生体と接触する側の反対側に引き出され、前記コネクタにおける前記衣類の生体と接触する側の反対側と、前記電極部とを電気的に接続することを特徴とする生体電極。」
（本件発明４）
「【請求項４】
　請求項３に記載の生体電極において、
　さらに、前記取り付け部材と前記衣類との間に設けられた固定補助布を備えることを特徴とする生体電極。」
（本件発明５）
「【請求項５】
　請求項４記載の生体電極において、
　前記固定補助布は、前記取り付け部材の固定に接着剤を用いる場合に、前記接着剤との接着力が前記衣類と前記接着剤との接着力よりも大きいものであり、ポリエステル、ナイロン、アクリル、ウレタンの少なくとも１つを含む織物、編物、不織布のうちのいずれか１つであることを特徴とする生体電極。」
（本件発明６）
「【請求項６】
　請求項３乃至５のいずれか１項に記載の生体電極を備え、前記生体電極は、前記電極部が生体と接触するように固定されたことを特徴とする衣類。」
第４　特許異議申立人が提出した証拠
　特許異議申立人が提出した証拠は、以下の甲第１号証〜甲第３号証（以下「甲１」〜「甲３」という。）である。
　甲１：欧州特許出願公開第２８０３３１５号明細書
　甲２：米国特許出願公開第２０１３／００４１２７２号明細書
　甲３：米国特許出願公開第２０１３／０３３８４７２号明細書
第５　甲号証の記載
１　甲１について
（１）甲１の記載
　本件特許出願の優先権主張日前に頒布された甲１には、以下の記載がある。なお、原文に続き日本語訳を示す。また、下線は当審で付加した。以下同様。
（甲１ア）
「[0011] With reference to an embodiment shown in Figures 1A and 1B , let us consider an embodiment of a heart activity sensor structure 100 to which embodiments of the invention may be applied. The heart activity sensor structure 100 may be attached to, e.g., a strap 10, which the exerciser 60 may wear around his/her body, such as chest, in order to hold electrodes, which are comprised in the heart activity sensor structure 100, firmly against the skin 32 during the exercise. The exerciser 60 is the user of the heart activity sensor structure 100. The heart activity sensor structure 100 may comprise fastening elements 11A and 11C for detachably fastening/connecting the heart activity sensor structure 100 to fastening elements 11B and 11D of the strap 10, respectively. The strap 10 may comprise a length adjustment portion 10A adjusting the length of the strap by the exerciser 60. In an embodiment, the heart activity sensor structure 100 comprises the strap 10. It should be noted that the heart activity sensor structure 100 may alternatively be attached to a garment, such as a shirt, a top, a bra, a wristband or trousers, instead of the strap 10. In an embodiment, the garment is a glove, sock, a shirt arm, or a trouser leg.」
「［００１１］　図１Ａおよび図１Ｂに示される実施形態に関して、本発明の実施形態を適用し得る心臓活動量センサ構造１００の実施形態について検討する。当該心臓活動量センサ構造１００は、例えばストラップ１０に取り付けて、運動者６０がこのストラップ１０を胸部など体の周りに着用して、心臓活動量センサ構造１００に含まれる電極を運動中に皮膚３２に対して強固に保持できるようにしてもよい。運動者６０は心臓活動量センサ構造１００のユーザである。心臓活動量センサ構造１００は、締結要素１１Ａおよびｌ１Ｃを備えていてもよく、これらの締結要素は、それぞれ心臓活動量センサ構造１００をストラップ１０の締結要素１１Ｂおよび１１Ｄに着脱自在に締結／連結する。ストラップ１０は、運動者６０がストラップの長さを調節する長さ調節部分１０Ａを備えていてもよい。一実施形態において、心臓活動量センサ構造１００はストラップ１０を備える。なお、
心臓活動量センサ構造１００は代替的に、ストラップ１０の代わりに、シャツ、トップ、ブラジャー、リストバンドあるいはズボンなどの衣服に取り付けてもよい
（甲１イ）
「[0012] The heart activity sensor structure 100 may comprise one or more skin electrodes used to receive a physiological signal from the skin of the user 60, and an electronic circuit may be used to process and measure the physiological signal. The electronic circuit may be installed to an electronics module 16 which may be fixed or detachably attached to the strap 10 through instant connectors 12, 14, such as press stud connectors. The electronics module 16 may further comprise a battery for powering the heart activity sensor structure 100, wherein the battery may be rechargeable or disposable.」
「［００１２］　心臓活動量センサ構造１００は、ユーザ６０の皮膚から生理信号を受信するために使用される１つまたは複数の皮膚電極を備えていてもよい。また、電子回路を用いて、生理信号の処理および測定を行ってもよい。当該電子回路は、スナップ式コネクタなどの簡易コネクタ１２，１４によってストラップ１０に固定または着脱自在に取り付けられた電子機器モジュール１６に組み込んでもよい。電子機器モジュール１６は、心臓活動量センサ構造１００に動力を供給するためのバッテリをさらに備えていてもよく、当該バッテリは再充電可能なものであっても、使い捨てのものであってもよい。」
（甲１ウ）
「[0014] Let us now consider the structure of the heart activity sensor structure 100 in greater detail with reference to an embodiment illustrated in Figures 2 and 3. Figures 2 and 3 illustrate different explosion views of the components of the heart activity sensor structure 100, wherein Figure 2 is a side view, and Figure 3 is a perspective view. Referring to Figures 2 and 3 , the heart activity sensor structure 100 comprises the flexible textile substrate 20, also known as a base layer or a supporting layer. The flexible textile substrate 20 may form the base of the heart activity sensor structure 100, and the flexible textile substrate 20 may comprise textile that supports the heart activity sensor structure 100. The flexible textile substrate 20 may comprise woven or knitted textile with elastic components, such as rubber and/or thermoplastic. The flexible textile substrate 20 may form a substrate for mounting at least the electrodes 24, 26. The physical dimensions of the flexible textile substrate 20 may be in the order of 15 cm times 2 cm (length x width).」
「［００１４］　次に、図２および図３に示された実施形態を参照しながら、心臓活動量センサ構造１００の構造についてより詳細に検討する。図２および図３には、心臓活動量センサ構造１００の部品の異なる拡大図が示されている。図２は側面図であり、図３は斜視図である。図２および図３を参照すると、
心臓活動量センサ構造１００は、
可撓性布地基材２０を備える
可撓性布地基材２０は、心臓活動量センサ構造１００のベースを形成し
（甲１エ）
「[0015] In an embodiment, the flexible textile substrate 20 is bendably flexible (e.g. flexible so that the textile substrate 20 may be bent, flexed or twisted without breaking). In an embodiment, the flexible textile substrate 20 is stretchably flexible (e.g. flexible so that it may be stretched in longitudinal and/or transversal direction).」
「［００１５］　一実施形態において、可撓性布地基材２０は屈曲自在な柔軟性（例えば、布地基材２０を破断させることなく、屈曲させたり、曲げたり、捩ったりできる柔軟性）を有する。一実施形態において、可撓性布地基材２０は伸縮自在な柔軟性（例えば、長手方向および／または横方向に伸長させることができる柔軟性）を有する。」
（甲１オ）
「[0016] The heart activity sensor structure may further comprise an electrode layer 30 comprising one or more electrodes 24, 26. The at least two electrodes 24, 26 may be applied on one side of the flexible textile substrate 20 and configured to be placed against (contact) the skin 32 of the exerciser 60 either directly or indirectly. The electrodes 24, 26 may measure biosignals related to heart activity, such as ECG signals, from the skin 32 of the exerciser 60 and convey the detected electric signals to the electronics module 16 connected to the connectors 12, 14. The electrodes 24, 26 may be made at least partially of a conductive material, e.g. conductive silicon, conductive thermoplastic and/or conductive yarn. The connectors 12, 14 may be disposed to penetrate the flexible textile substrate 20 and any layer between the flexible textile substrate 20 and the electrode layer 30 to provide a galvanic connection between the electrodes 24, 26 and the electronics module 16 disposed on opposite sides of the flexible textile substrate 20. In the embodiment shown in Figures 2 and 3 , the connectors 12, 14 penetrate also the electrode layer 30, e.g. each electrode 24, 26.」
「［００１６］　
心臓活動量センサ構造は、
電極２４，２６を備える
電極２４，２６は可撓性布地基材２０の一方の面に取り付け
運動者６０の皮膚３２に配置される（接触する）ように構成され
電極２４，２６は、運動者６０の皮膚３２からＥＣＧ信号
を測定して、検出された電気信号をコネクタ１２，１４に接続された電子機器モジュール１６に伝達し
電極２４，２６は、
導電性材料
から形成され
コネクタ１２，１４は、可撓性布地基材２０
を貫通するように配置され
（甲１カ）
「[0017] An intermediate insulation layer 22 may be provided as an intermediate layer between the flexible textile substrate 20 and the electrode layer 30. The intermediate insulation layer 22 functions as an electric insulation layer insulating the electrode layer 30 from the flexible textile substrate 20. However in an embodiment, there is no need for the intermediate insulation layer 22 in case the flexible textile substrate 20 is not electrically conductive or is not directly contacting the electrodes. It should be noted though that the flexible textile substrate 20 may become electrically conducting after absorbing moisture during the exercise.」
「［００１７］　可撓性布地基材２０と電極層３０との間の中間層として、中間絶縁層２２を設けてもよい。当該中間絶縁層２２は、電極層３０を可撓性布地基材２０から絶縁する電気絶縁層として機能する。しかしながら、一実施形態において、可撓性布地基材２０が導電性を有していない場合、または電極と直接接触していない場合、中間絶縁層２２は不要である。なお、可撓性布地基材２０は、運動中に水分を吸収した後、導電性を有するようになる可能性がある。」
（甲１キ）
「[0019] When the number of electrodes 24, 26 is higher than one, the electrodes 24, 26 may be electrically isolated/insulated from each other. The electrical isolation from a surface contacting the skin 32 of the exerciser 60 may be achieved by providing a skin insulation layer 28 such that the electrodes 24, 26 are at least partially disposed between the skin isolation layer 28 and the flexible textile substrate 20. The skin isolation layer 28 reduces a short circuit between the electrodes 24, 26 through the skin 32 of the exerciser 60. The skin insulation layer 28 comprises insulating material, such as thermoplastic material, to carry out the isolation. In the case the number of electrodes 24, 26 is higher than two, the skin insulation layer 28 may in some embodiments comprise a plurality of separate insulating portions to insulate the different electrodes 24, 26 from each other.」
「［００１９］　電極２４，２６の数が１つよりも多い場合、電極２４，２６は互いに電気的に分離／絶縁されていてもよい。
運動者６０の皮膚３２と接触する表面からの電気的な絶縁は、電極２４，２６が少なくとも部分的に皮膚絶縁層２８と可撓性布地基材２０との間に配置されるように皮膚絶縁層２８を設けることによって達成し
（甲１ク）
「[0020] As said earlier, the environmental conditions affect the success of the heart activity measurement, which may be based on detecting millivolt-range signals on the skin 32 of the person 60. These environmental conditions may include static electricity and voltage generation from external sources, such as from the clothes or textiles of the exerciser 60. Accordingly, the heart activity sensor structure 100, as shown in Figures 4A and 4B , further comprises an electrostatic discharge (ESD) shield 40 applied on one side of the textile substrate 20 for protecting the at least two electrodes 24, 26 from static electricity. The intermediate insulation layer 22, the skin insulation layer 28, the instant connectors 12, 14, and other through-hole related elements shown in Figures 1 to 3 are not depicted in all of the Figures for reasons of simplicity. However, in an embodiment, at least some or all of the omitted elements are comprised in the various embodiments of the heart activity sensor structure 100.」
 「［００２０］　上述したように、環境条件は、心臓活性測定の成功に影響する。それは、人６０の皮膚３２上のミリボルト範囲信号の検知に基づいてもよい。これらの環境条件は、運動者６０の衣服または布地のような外部ソースからの静電気および電圧生成を含んでいてもよい。従って、心臓活性センサ構造１００は、図４Ａおよび４Ｂに示されるように、静電気から、少なくとも２つの電極２４および２６を保護するために、布地基材２０の一方の上に静電放電（ＥＳＤ）シールド４０を適用してさらに含んでいる。中間絶縁層２２、皮膚絶縁層２８、インスタントコネクタ１２、１４、および図１〜３に示される他の貫通孔に関連する構成要素は、単純化のために図のすべてで図示されていない。しかしながら、一実施態様では、省略された構成要素のうちの少なくともいくつかまたはすべては、心臓活性センサ構造１００の様々な実施態様に含まれる。」
（甲１ケ）
「[0028] In Figures 4A to 5C , dashed lines show how the electrical connection between the electrodes 24, 26 and the electronics module16 is provided. The electrical connection, such as an electrically conducting wire, may penetrate the flexible textile substrate 20, the ESD shield 40 and/or the insulation layer(s) 42A, 42B. The penetration may be provided with through-holes in the flexible textile substrate 20, in the ESD shield 40 and/or in the insulation layer(s) 42A, 42B. The through-holes may be electrically insulated from the corresponding layer to which they are formed, e.g. from the flexible textile substrate 20, the ESD shield 40 and/or the insulation layer(s) 42A, 42B. This may be beneficial so as conduct the measured ECG signals only to the electronics module 16 and not to the layers of the heart activity sensor structure 100.」
「［００２８］　図４Ａから図５Ｃにおいて、破線は、どのように
電極２４，２６と電子機器モジュール１６との間の電気的接続
可撓性布地基材２０
における貫通孔によって実現され
当該貫通孔は、
可撓性布地基材２０
から
電気的に絶縁されていて
測定されたＥＣＧ信号を電子機器モジュール１６のみへと伝達し
（甲１コ）ＦＩＧ１〜３
（甲１サ）ＦＩＧ４
（２）甲１発明
 
ア　段落［００１１］の「一実施形態において、心臓活動量センサ構造１００はストラップ１０を備える。なお、心臓活動量センサ構造１００は代替的に、ストラップ１０の代わりに、シャツ、トップ、ブラジャー、リストバンドあるいはズボンなどの衣服に取り付けてもよい。」という記載、及びＦＩＧ４をみると、心臓活動量センサ構造１００は、ストラップ１０の代わりに、
衣服（シャツやブラジャー）の内面に取り付けること
イ　段落［００１６］の「コネクタ１２，１４は、可撓性布地基材２０と、可撓性布地基材２０および電極層３０の間の任意の層とを貫通するように配置されて」という記載、及びＦＩＧ１〜３をみても、
心臓活動量センサ構造１００は、コネクタ１２，１４を備えること
ウ　段落［００１６］の「コネクタ１２，１４は、可撓性布地基材２０と、可撓性布地基材２０および電極層３０の間の任意の層とを貫通するように配置されて」という記載、及びＦＩＧ１〜３をみると、
コネクタ１２，１４は、可撓性布地基材２０に取り付けられること
エ　段落［００１７］の「可撓性布地基材２０が導電性を有していない場合、・・・中間絶縁層２２は不要である」という記載によれば、中間絶縁層２２を備えず、
可撓性布地基材２０は、電気絶縁性材料から形成されること
オ　段落［００１９］の「運動者６０の皮膚３２と接触する表面からの電気的な絶縁は、電極２４，２６が少なくとも部分的に皮膚絶縁層２８と可撓性布地基材２０との間に配置されるように皮膚絶縁層２８を設けることによって達成」するという記載、及びＦＩＧ３をみると、
コネクタ１２，１４における運動者６０の皮膚３２側と、電極２４，２６における運動者６０の皮膚３２側の一部分とに、皮膚絶縁層２８を設ける
カ　上記ア〜オを含め上記（１）の記載を総合すると、甲１には、次の発明（以下、「甲１発明」という。）が記載されていると認められる。
　「衣服（シャツやブラジャー）の内面に取り付ける心臓活動量センサ構造１００であって、
　可撓性布地基材２０を備え、可撓性布地基材２０は、心臓活動量センサ構造１００のベースを形成し、電気絶縁性材料から形成され、
　コネクタ１２，１４を備え、コネクタ１２，１４は、可撓性布地基材２０に取り付けられ、可撓性布地基材２０を貫通するように配置され、
　コネクタ１２，１４に接続される電極２４，２６を備え、電極２４，２６は、導電性材料から形成され、可撓性布地基材２０の一方の面に取り付けられ、運動者６０の皮膚３２に配置される（接触する）ように構成され、運動者６０の皮膚３２からＥＣＧ信号を測定して、測定されたＥＣＧ信号をコネクタ１２，１４に接続された電子機器モジュール１６に伝達し、
　電極２４，２６と電子機器モジュール１６との間の電気的接続は、可撓性布地基材２０における貫通孔によって実現され、当該貫通孔は、可撓性布地基材２０から電気的に絶縁されていて、測定されたＥＣＧ信号を電子機器モジュール１６のみへと伝達し、
　運動者６０の皮膚３２と接触する表面からの電気的な絶縁は、コネクタ１２，１４における運動者６０の皮膚３２側と、電極２４，２６における運動者６０の皮膚３２側の一部分とに、皮膚絶縁層２８を設けることによって達成する、
　心臓活動量センサ構造１００。」
２　甲２について
　本件特許出願の優先権主張日前に頒布された甲２には、以下の記載がある。
（甲２ア）
「[0034] A sensor apparatus (in this embodiment shaped like a textile tube) comprises a first textile layer 11 , which in use is in contact with the user's skin 1 . The apparatus further comprises a second textile layer 13 (which in use is on the outside of a garment) and an intermediate third layer 12 .」
「［００３４］　センサ装置（当該実施形態においては、テキスタイルチューブのような形状である）は、使用時にユーザの皮膚１に接触する第１の布地層１１を備える。当該装置は、（使用時に衣服の外側にある）第２の布地層１３と、中間の第３の層１２とをさらに備える。」
（甲２イ）
「[0037] Further in the embodiment of FIG. 1 , electrical paths or tracks 15 are provided in the second textile layer 13 to electrically connect the ECG sensors 14 to fasteners 16 . In this embodiment, the fasteners are press studs. The female parts of the press studs 16 comprise top part 16 a provided in second textile layer 13 , and bottom part 16 b provided below intermediate textile layer 12 . The male parts 21 of the press studs are provided on an electronic device 20 which may be attached to the sensor apparatus and garment. 」
「［００３７］　さらに、図１の実施形態において、第２の布地層１３に電気的な経路または「トラック」１５を配設してＥＣＧセンサ１４を留め具１６に電気的に接続する。この実施形態において、留め具はスナップボタンである。スナップボタン１６のメス部材は、第２の布地層１３に設けられた上部１６ａと、中間の布地層１２よりも下方に設けられた底部１６ｂとを備える。スナップボタンの雄部材２１は電子機器２０に設けられており、電子機器２０は、前記センサ装置および衣服に取り付けられていてもよい。」
（甲２ウ）Ｆｉｇｕｒｅ１
３　甲３について
（１）甲３の記載
　本件特許出願の優先権主張日前に頒布された甲３には、以下の記載がある。
（甲３ア）
「[0028] 20. A sensor which comprises an electrode, a track and an electrical connector, wherein, the track is comprising an electrically conductive flexible and elastic material that comprises an electrically conductive material that is non-continguous that when stretched is able to transmit a signal from an electrode to an electrical connector and from an electrical connector to an electrode.」
「[００２８]　２０．電極、トラック、及び電気コネクタを備えるセンサであって、前記トラックが、引き伸ばされるときに不連続である導電性材料を含む導電性の可撓性及び弾性材料を含み、信号を電極から電気コネクタに及び電気コネクタから電極に伝送することができる、センサ。」
（甲３イ）
「[0158] FIG. 2  shows an exploded perspective view of a sensor  1  wherein a conductive layer comprises electrode  3  and track  4 . In an embodiment, electrode  3  comprises one or more orifices  6  of any shape and size filled with a flexible non-coductive, semi-conductive or conductive material, including, without limitation, silicone rubber and/or fluorosilicone rubber that, without limitation, may include an electrically conductive material. Electrical connector  5  is in contact with track  4  of a conductive layer and track  4  can be covered with insulating material  8 . Electrical connector  5  comprises a first and a second portion, wherein the first portion comprise female-type clip portion  9  and the connector second portion may comprise male-type stud portion  10 , which portions mate with each other. Electrical connector  5  can, without limitation, include any type of connectors  9  and  10 , including where  9  constitutes a male type connector and  10  constitutes a female type connector, which portions mate with each other.
[0159] As depicted in  FIG. 2 , sensor  1  of the present invention allows measuring the electrical physiological signals during physical activity. As mentioned above, a first aspect of the invention relates to sensor  1  to be placed in contact with skin  12  of an individual for acquiring physiological signals which comprises: a) conductive layer  2  comprising at least conductive fibers to be placed in contact with skin  12  for receiving physiological signals; b) electrical connector  5  connected to the conductive layer; characterized in that the conductive layer comprises a plurality of orificies  6  filled with a silicone rubber and/or fluorosilicone rubber throughout the conductive area.
[0160] In an embodiment, as depicted in  FIG. 2 , the conductive layer  2  is made of conductive material, selected from conductive fabric. In another embodiment, it is provided a sensor  1  adapted to be integrated in a garment  7  so as to be placed in contact with skin  12  of a user during the use of the garment  7 , wherein said sensor  1  comprises a conductive layer  2  to be placed in contact with the skin  12  for receiving physiological signals comprising at least: an electrode  3 ; a track  4 ; and an electrical connector  5  connected with the track  4 ; wherein the electrode  3  of the conductive layer  2  comprises a plurality of orificies  6  or grooves  11  in a predefined pattern filled with an anti-slip material. In an embodiment, the electrode  3  of the conductive layer  2  comprises a plurality of orificies.
[0161] According to an embodiment, electrode  3  and track  4  are made of the same or different material. In an embodiment, electrode  3  and track  4  independently from each other is a conductive fabric comprising a conductive fiber and a non-conductive fiber. In another embodiment, electrode  3  and track  4  refer to a conductive fabric made of a conductive fiber. In another embodiment, electrode  3  and track  4  refer to a conductive fabric made of a conductive fiber and a non-conductive fiber. When orificies  6  or grooves  11  are filled with a flexible, semi-conductive or conductive material, for instance, without limitation, a silicone rubber, such flexible semi-conductive or conductive material presents a flat or relief profile. In an embodiment, without limitation, a silicone rubber and/or a fluorosilicone rubber shows a relief profile. In an embodiment, an electrode is placed in a fabric in such a way that it is electrically in contact with a track.
[0162] FIG. 3A  depicts a cross-section of sensor  1 . The cross-section of sensor  1  shows an electrode area  3  and orifice  6  filled with a flexible non-conductive, semi-conductive or a conductive material, including, without limitation, a silicone rubber and/or a fluorosilicone rubber that, without limitation, may include an electrically conductive material. Track  4  is made of the same material as electrode  3 . In an embodiment, a track and an electrode are made of a conductive fabric. In an embodiment, a sensor is in contact with skin  12 .
[0163] FIG. 3B  depicts a cross-section of an embodiment of a sensor  1 . In this embodiment an electrode is made of a conductive fabric and a track  4  is made of a flexible non-conductive, semi-conductive or a conductive material, including, without limitation, silicone rubber and/or a fluorosilicone rubber that, without limitation, may include an electrically conductive material.
[0164] As illustrated,  FIGS. 3A and 3B  may comprise a male and a female portion of an electrical connector that are placed on the opposite face of a garment in juxtaposition with each other. Thus, a male or a female portion which is placed in the inner face, which will be in contact with skin  12  of an individual, is covered with insulating material  8 , which also covers track  4  of conductive layer  2 . As depicted in  FIGS. 3A and 3B , a sensor  1  is integrated in garment  7 .
[0165] In an embodiment, as depicted in  FIGS. 3A and 3B , electrode  2  comprises a conductive fabric made of conductive fibers and non-conductive fibers. In another embodiment, electrode  2  refers to a conductive fabric made of conductive fibers. In an embodiment, a conductive fiber is made of silver coated nylon (such as X-STATIC(R); yarns from Laird Sauquoit Industries) and a non-conductive fiber is made of nylon. In an embodiment, and without limitation, examples of conductive fibers include fibers made of silver, copper, nickel, stainless steel, gold, non-conductive fibers coated with a conductive material or mixtures thereof. In another embodiment, without limitation, examples of non-conductive fibers include wool, silk, cotton, flax, jute, acrylic fiber, polyamide polyester, nylon and/or with elastic yarns (such as LYCRA(R); branded spandex from INVISTATM; S.a.r.l).」
「［０１５８］　図２は、
導電層が電極３及びトラック４を含む
電気コネクタ５は導電層のトラック４と接触し、
電気コネクタ５は
雌型クリップ部分９
雄型スタッド部分１０を備え
これらの部分は互いに合致する
［０１５９］　図２に示すように、本発明のセンサ１は、物理的活動中の電気生理学的信号の測定を可能にする。前述のように、本発明の第１の態様は、ａ）
生理学的信号を受信するための皮膚１２と接触する状態で配置される
導電層２と、
導電層に接続される電気コネクタ５とを備える
［０１６０］　一実施形態では、図２に示すように、導電層２は、導電布から選択される導電性材料で作製される。別の実施形態では、
衣類７の使用中にユーザの皮膚１２と接触する状態で配置されるように衣類７に一体化されるように適合されるセンサ１
［０１６１］　一実施形態によれば、電極３とトラック４は同じ又は異なる材料で作製される。一実施形態では、電極３及びトラック４は、互いに独立して、導電性繊維及び非導電性繊維を含む導電布である。別の実施形態では、電極３及びトラック４は導電性繊維で作製された導電布を指す。別の実施形態では、電極３及びトラック４は導電性繊維及び非導電性繊維で作製された導電布を指す。オリフィス６又は溝１１に可撓性、半導電性、又は導電性材料、例えば、限定ではなしにシリコーンゴムが充填されるとき、こうした可撓性の半導電性又は導電性材料は、平坦な又はレリーフの外形を与える。一実施形態では、限定ではなしにシリコーンゴム及び／又はフルオロシリコーンゴムは、レリーフの外形を呈する。一実施形態では、電極は、トラックと電気的に接触する状態でファブリックに配置される。
［０１６２］　図３Ａは、センサ１の断面を示す。センサ１の断面は、電極領域３と、限定ではなしに導電性材料を含み得る限定ではなしにシリコーンゴム及び／又はフルオロシリコーンゴムを含む可撓性の非導電性、半導電性、又は導電性材料が充填されたオリフィス６とを示す。トラック４は、電極３と同じ材料で作製される。一実施形態では、トラック及び電極は導電布で作製される。一実施形態では、センサは皮膚１２と接触している。
［０１６３］　図３Ｂは、センサ１の実施形態の断面を示す。この実施形態では、電極は、導電布で作製され、トラック４は、限定ではなしに導電性材料を含み得る限定ではなしにシリコーンゴム及び／又はフルオロシリコーンゴムを含む可撓性の非導電性、半導電性、又は導電性材料で作製される。
［０１６４］　示されるように、図３Ａ及び図３Ｂは、衣類の反対の面上に互いと並列に配置される電気コネクタの雄雌部分を備えることができる。したがって、個体の皮膚１２と接触する内面に配置される雄又は雌部分は、絶縁材８で覆われ、これは導電層２のトラック４も覆う。図３Ａ及び図３Ｂに示すように、センサ１は衣類７に一体化される。
［０１６５］　一実施形態では、図３Ａ及び図３Ｂに示すように、電極２は、導電性繊維及び非導電性繊維で作製された導電布を含む。別の実施形態では、電極２は導電性繊維で作製された導電布を指す。一実施形態では、導電性繊維は、銀被覆ナイロン（Ｌａｉｒｄ  Ｓａｕｑｕｏｉｔ  ＩｎｄｕｓｔｒｉｅｓからのＸ−ＳＴＡＴＩＣ（登録商標）ヤーンなど）で作製され、非導電性繊維は、ナイロンで作製される。一実施形態では、限定ではなしに、導電性繊維の例は、銀、銅、ニッケル、ステンレス鋼、金で作製された繊維、導電性材料で被覆された非導電性繊維、又はそれらの混合物を含む。別の実施形態では、限定ではなしに、非導電性繊維の例は、ウール、絹、綿、亜麻、ジュート、アクリル繊維、ポリアミドポリエステル、ナイロンを含む、及び／又は弾性ヤーン（ＩＮＶＩＳＴＡ（商標）Ｓ．ａ．ｒ．ｌからのＬＹＣＲＡ（登録商標）の商標のついたスパンデックスなど）を伴う。」
（甲３ウ）
「[0171] FIG. 5  depicts a cross-section elevation view of a connection between an embodiment of sensor  1  and electronic instrument  14 . Sensor  1  is connected, for illustrative purposes only, and without limitation, to electronic connector  5  using female-type clip portion  9  and male-type stud portion  10 . Electronic instrument  14  may be directly attached to an electrical connector directly through a coupling, through attachment by a wire between electronic instrument  14  and the electronic connector and/or through a wireless connection.
[0172] In an embodiment, a device as depicted in  FIG. 5  comprises at least one sensor  1  and an electronic instrument  14  for receiving and collecting and/or storing and/or processing, and/or transmitting data from said sensor. Using the sensor of the invention, the physiological signals detected can be at least one of the following data: cardiac pulse, respiratory frequency, electrodermal response (EDR), measures electrical skin conductivity, electrocardiography (ECG), electromyography (EMG). These signals refer to electrical signals produced in the body.
[0173] In an embodiment, a garment is, without limitation, a shirt, a coat, a top, a girdle, underwear, suspenders, a wrist strip, a headband, a belt, a band, a sock, a pair of trousers, a glove, a t-shirt with long sleeves, a t-shirt with short sleeves, a tank top, a leotard, a bra, a sleeveless top, a halter top, a spaghetti-strapped shirt, a singlet, an A-shirt, a tube top and/or any other article that an individual can wear.」
「［０１７１］　図５は、センサ１の実施形態と電子機器１４との間の接続の断面立面図を示す。センサ１は、単に例証する目的で、限定ではなしに、雌型クリップ部分９及び雄型スタッド部分１０を用いて電子コネクタ５（当審注：電子コネクタ５は、電子機器１４の誤記と認める。）に接続される。
電子機器１４は、電気コネクタに
接続され
［０１７２］　一実施形態では、図５に示すデバイスは、少なくとも１つのセンサ１と、前記センサからのデータを受信及び収集及び／又は記憶及び／又は処理及び／又は伝送するための電子機器１４とを備える。本発明のセンサを用いて、検出される生理学的信号は、以下のデータ、すなわち、心臓のパルス、呼吸頻度、皮膚電気反応（ＥＤＲ）、電気皮膚伝導度、心電図記録法（ＥＣＧ）、筋電図検査（ＥＭＧ）の測定値のうちの少なくとも１つとすることができる。これらの信号は、体内で生じた電気信号を指す。
［０１７３］　一実施形態では、衣類は、限定ではなしに、シャツ、コート、上衣、ガードル、下着、サスペンダー、リストストリップ、ヘッドバンド、ベルト、バンド、靴下、ズボン、手袋、長袖のＴシャツ、半袖のＴシャツ、タンクトップ、レオタード、ブラ、ノースリーブの上衣、ホルターネックの上衣、スパゲティストラップのシャツ、袖なしアンダーシャツ、Ａ−シャツ、チューブトップ、及び／又は個体が着用できる任意の他の物品である。」
（甲３エ）
「[0179] In another embodiment, as depicted in  FIG. 2 , the track  4  and the electric connector  5  are covered with an insulating material  8 . In an embodiment, for a sensor in contact with the skin of an individual, the electrode/skin impedance is an element to determine the noise of a signal.・・・
・・・
[0181] In another embodiment, as depicted in  FIG. 4 , the outer layer  13  comprises a system to regulate the pressure. In a further embodiment, the inner layer has low elasticity and the outer layer  13  has high elasticity. The inner layer is comprising a blend of synthetic fiber and spandex, wherein the synthetic fiber comprises 85% to 90% by weight of the composite elastic material and in a further embodiment, 87% to 89%, and wherein the spandex comprises 10% to 15% by weight of the composite elastic material, and in a further embodiment 11% to 13%. In another embodiment, the outer layer  13  is comprised of a blend of synthetic fiber and spandex, wherein the synthetic fiber comprises 92% to 97% by weight of the composite elastic material and in a further embodiment, 94% to 96%, and wherein the spandex comprises 3% to 8% by weight of the composite elastic material, and in a further embodiment, 4% to 6%. The outer layer  13  compresses the sensor to the skin, and the stability and fixation of the sensor  1  are improved.
・・・
[0183] As depicted in  FIGS. 2 ,  3 A,  3 B and  4 , track  4  of conductive layer  2  of sensor  1  is placed between inner and outer layer  13  of the garment, and electrode  3  is over the inner layer of the garment, electrode  3  being able to be in contact with skin  12  of the user of garment  7 . The sensor  1  as depicted in  FIG. 2  can be prepared by a process comprising the steps of: a) die cutting a conductive layer of conductive fabric; b) adding a hot melt adhesive on one surface of the conductive layer; c) screen printing with an anti-slip flexible semi-conductive or conductive material, including, without limitation, silicone rubber on the orificies  6  or grooves  11  of the electrode  3 , at a temperature comprise between 10-30℃.; and d) curing the silicone, and in an embodiment, without limitation, for up two minutes at a temperature comprised between 130-190℃. The process can further comprise the step of screen printing with a flexible and/or elastic semi-conductive or conductive material, including, without limitation, silicone rubber loaded with a conductive material to form track  4 .
・・・
[0196] In another embodiment, an electrical conductive area, including, without limitation, a track, is not printed directly into a fabric. In this embodiment, there is a second layer of a flexible and/or elastic material, including, without limitation, a silicone layer and/or a fluorosilicone between a fabric and a conductive area and a second layer of a flexible and/or elastic material, including, without limitation, a silicone and/or a fluorosilicone that is printed into a fabric and is integrated into the fabric as, without limitation, it is able to penetrate the orifices of the fabric and anchor the electronically conductive area in the fibers of the fabric. In an embodiment, a flexible material, including, without limitation, a silicone and/or a fluorosilicone that is loaded with an electrically conductive material is printed over the second flexible and/or elastic material, including, without limitation, a silicone and integrated into a molecular structure of the second flexible material, including, without limitation, a silicone and/or a fluorosilicone by means of chemical bonds. In either case the fabric cohesive strength is improved and a situation where a flexible and/or elastic material, including, without limitation, a silicone and/or a fluorosilicone that is loaded with an electrically conductive material and the second flexible and/or elastic material, including, without limitation, a silicone and/or a fluorosilicone are jointly integrated into the fabric.」
「［０１７９］　別の実施形態では、図２に示すように、
トラック４及び電気コネクタ５は絶縁材８で覆われる
・・・
［０１８１］　別の実施形態では、図４に示すように、外側層１３は、圧力を調整するシステムを備える。さらなる実施形態では、内側層は低い弾性を有し、外側層１３は高い弾性を有する。内側層は、合成繊維とスパンデックスとのブレンドを含んでおり、合成繊維は、複合弾性材料の重量の８５％〜９０％、さらなる実施形態では８７％〜８９％を構成し、スパンデックスは、複合弾性材料の重量の１０％〜１５％、さらなる実施形態では１１％〜１３％を構成する。別の実施形態では、外側層１３は、合成繊維とスパンデックスとのブレンドからなり、合成繊維は、複合弾性材料の重量の９２％〜９７％、さらなる実施形態では９４％〜９６％を構成し、スパンデックスは、複合弾性材料の重量の３％〜８％、さらなる実施形態では４％〜６％を構成する。外側層１３は、センサを皮膚に圧迫し、センサ１の安定性及び固定が改善される。
・・・
［０１８３］　図２、図３Ａ、図３Ｂ、及び図４に示すように、センサ１の導電層２のトラック４は、衣類の内側層と外側層１３との間に配置され、電極３は衣類の内側層の上にあり、電極３は衣類７のユーザの皮膚１２と接触することができる。図２に示すセンサ１は、ａ）導電布の導電層をダイカットするステップと、ｂ）導電層の１つの表面上にホットメルト接着剤を付加するステップと、ｃ）１０〜３０℃を含む温度で電極３のオリフィス６又は溝１１上に、限定ではなしにシリコーンゴムを含む滑り止めの可撓性の半導電性又は導電性材料をスクリーン印刷するステップと、ｄ）一実施形態では限定ではなしに１３０〜１９０℃を含む温度で２分間、シリコーンを硬化させるステップとを含むプロセスによって用意することができる。プロセスは、トラック４を形成するために導電性材料に装填される、限定ではなしにシリコーンゴムを含む可撓性及び／又は弾性の半導電性又は導電性材料をスクリーン印刷するステップをさらに含むことができる。
・・・
［０１９６］  別の実施形態では、限定ではなしにトラックを含む導電性領域は、ファブリックに直接印刷されない。この実施形態では、ファブリックと導電性領域との間に、限定ではなしにシリコーン層及び／又はフルオロシリコーンを含む可撓性及び／又は弾性材料の第２の層が存在し、限定ではなしにシリコーン及び／又はフルオロシリコーンを含む可撓性及び／又は弾性材料の第２の層は、限定ではなしにファブリックのオリフィスに入り込み、ファブリックの繊維の中に導電性領域を固定することができるので、ファブリックに印刷され、ファブリックに一体化される。一実施形態では、導電性材料に装填される、限定ではなしにシリコーン及び／又はフルオロシリコーンを含む可撓性材料は、限定ではなしにシリコーンを含む第２の可撓性及び／又は弾性材料の上に印刷され、化学結合によって限定ではなしにシリコーン及び／又はフルオロシリコーンを含む第２の可撓性材料の分子構造に一体化される。いずれの場合にも、導電性材料に装填される限定ではなしにシリコーン及び／又はフルオロシリコーンを含む可撓性及び／又は弾性材料と、限定ではなしにシリコーン及び／又はフルオロシリコーンを含む第２の可撓性及び／又は弾性材料が一緒にファブリックに一体化される状態で、ファブリックの凝集力が改善される。」
（甲３オ）
「[0199] In another embodiment, as depicted in  FIGS. 15A and 15B , the fabric further comprises a coating of an insulating material covering a sensor, including, without limitiation, silicone rubber and/or fluorsilicone rubber that, without limitation, may, but is not required to be loaded with an electrically conductive material. In another embodiment, an insulating material covers a track and/or an electrode. In an embodiment, an insulating material is an anti-slip material, including, without limitation, silicone rubber and/or fluorosilicone rubber. In an embodiment, a fabric of the invention acquires a physiological signal when electrode  3  is placed in contact with the skin of an individual. In another embodiment, a fabric comprises electrode  3  that is placed in contact with the skin of an individual and further wherein, without limitation, an electrical contact is located in track  4 .」
「［０１９９］　別の実施形態では、図１５Ａ及び図１５Ｂに示すように、ファブリックは、センサを覆う、限定ではなしに導電性材料に装填され得るが装填される必要はない限定ではなしにシリコーンゴム及び／又はフルオロシリコーンゴムを含む絶縁材のコーティングをさらに含む。別の実施形態では、絶縁材はトラック及び／又は電極を覆う。一実施形態では、絶縁材は、限定ではなしにシリコーンゴム及び／又はフルオロシリコーンゴムを含む滑り止め材料である。一実施形態では、本発明のファブリックは、電極３が個体の皮膚と接触する状態で配置されるときに生理学的信号を取得する。別の実施形態では、ファブリックは、個体の皮膚と接触する状態で配置される電極３を備え、さらに、限定ではなしに、トラック４に電気接触が存在する。」
（甲３カ）ＦＩＧ２，３
（甲３キ）ＦＩＧ５
（２）甲３発明
　上記（１）の記載を総合すると、甲３には、次の発明（以下、「甲３発明」という。）が記載されていると認められる。
　「衣類７の使用中にユーザの皮膚１２と接触する状態で配置されるように衣類７に一体化されるように適合されるセンサ１であって、
　生理学的信号を受信するための皮膚１２と接触する状態で配置される導電層２と、導電層２に接続される電気コネクタ５とを備え、
　導電層２が電極３及びトラック４を含み、
　電気コネクタ５は導電層２のトラック４と接触し、電気コネクタ５は雌型クリップ部分９及び雄型スタッド部分１０を備え、これらの部分は衣類７を挟んで互いに合致し、電気コネクタ５は、衣類７の外側から電子機器１４に接続され、
　トラック４及び電気コネクタ５の雄型スタッド部分１０は絶縁材８で覆われる、
　センサ１。」
第６　取消理由の概要
　本件訂正前の請求項１〜６（特許掲載公報の特許請求の範囲に記載されたもの）に係る特許に対して、当審が令和元年５月９日付けで特許権者に通知した取消理由の要旨は、次のとおりである。
理由１　（進歩性）請求項１、２、４〜６に係る発明は、甲１に記載された発明、甲２に記載された技術事項、甲３に記載された技術事項及び技術常識に基づいて当業者が容易に発明をすることができたものであるから、請求項１、２、４〜６に係る特許は、特許法第２９条第２項の規定に違反してされたものであり、取り消されるべきものである。
理由２　（明確性）本件特許は、特許請求の範囲の記載が以下の点で不備のため、特許法第３６条第６項第２号に規定する要件を満たしていない特許出願に対してされたものである。
　請求項１に記載の「前記コネクタと前記配線の表面のうち、生体と接触する部分を被覆する電気絶縁性の第１の絶縁部材」における「前記コネクタと前記配線の表面のうち、生体と接触する部分」は、「第１の絶縁部材」を備えた「生体電極」（完成後の請求項１の生体電極）において、存在しないことから、上記記載は、明確であるとはいえない。 
　また、請求項２に記載の「前記配線は、前記コネクタの前記生体と接触する側と前記電極部とを電気的に接続する」における「前記コネクタの前記生体と接触する側」は、「第１の絶縁部材」を備えた「生体電極」（完成後の請求項２の生体電極）において、存在しないことから、上記記載は、明確であるとはいえない。 
　また、請求項３に記載の「前記配線は、前記衣類に形成された貫通孔を通って前記衣類の生体と接触する側と反対側に引き出され、前記コネクタの前記生体と接触する側と反対側と、前記電極部とを電気的に接続する」における「前記コネクタの前記生体と接触する側」は、「第１の絶縁部材」を備えた「生体電極」（完成後の請求項３の生体電極）において、存在しないことから、上記記載は、明確であるとはいえない。 
　したがって、請求項１〜３に係る発明１〜３は、明確であるとはいえない。また、請求項１〜３を直接又は間接的に引用する請求項４〜６に係る発明も、同様の理由で明確であるとはいえない。
第７　取消理由（決定の予告）の概要
　本件訂正前の請求項１〜６（令和元年７月１６日提出の訂正請求書に添付された特許請求の範囲に記載されたもの）に係る特許に対して、当審が令和元年９月２７日付けで特許権者に通知した取消理由の要旨は、次のとおりである。
（進歩性）請求項１、２、４〜６に係る発明は、甲１に記載された発明及び甲２、甲３に記載の周知技術に基づいて当業者が容易に発明をすることができたものであるから、請求項１、２、４〜６に係る特許は、特許法第２９条第２項の規定に違反してされたものであり、取り消されるべきものである。
　なお、当審が令和元年５月９日付けで通知した取消理由の理由２（明確性）は、令和元年７月１６日提出の訂正請求書に添付された特許請求の範囲の請求項の記載について、請求項１の「前記コネクタと前記配線の表面のうち、生体と接触する部分」を「前記コネクタと前記配線の表面のうち、前記衣類の生体と接触する側を被覆する電気絶縁性の第１の絶縁部材」、請求項２の「前記配線は、前記コネクタの前記生体と接触する側と前記電極部とを電気的に接続する」を「前記配線は、前記コネクタにおける前記衣類の生体と接触する側と、前記電極部とを電気的に接続する」、請求項３の「前記配線は、前記衣類に形成された貫通孔を通って前記衣類の生体と接触する側と反対側に引き出され、前記コネクタの前記生体と接触する側と反対側と、前記電極部とを電気的に接続する」を「前記配線は、前記衣類に形成された貫通孔を通って前記衣類の生体と接触する側の反対側に引き出され、前記コネクタにおける前記衣類の生体と接触する側の反対側と、前記電極部とを電気的に接続する」と訂正することにより解消されており、本件訂正でも同様の訂正がされていることが確認された。
第８　新規性及び進歩性に係る特許異議申立理由の概要
　特許異議申立書において、特許異議申立人が申立てた理由のうち、訂正前の請求項３（特許掲載公報の特許請求の範囲に記載されたもの）に係る特許に対する新規性及び進歩性に係る理由の要旨は、次のとおりである。
理由１　請求項３に係る発明は、甲１に記載された発明であるか、又は、甲１に記載された発明及び甲３に基づいて当業者が容易に発明をすることができたものであるから、請求項３に係る特許は、特許法第２９条第１項又は同条第２項の規定に違反してされたものであり、取り消されるべきものである。
理由２　請求項３に係る発明は、甲３に記載された発明であるか、又は、甲３に記載された発明及び甲１に基づいて当業者が容易に発明をすることができたものであるから、請求項３に係る特許は、特許法第２９条第１項又は同条第２項の規定に違反してされたものであり、取り消されるべきものである。
第９　当審の判断
１　取消理由通知（決定の予告）に記載した取消理由について
　請求項に係る発明は、本件訂正により、取消理由を通知していない本件発明３及び請求項３の記載を直接又は間接的に引用する本件発明４〜６のみになったことから、本件発明３〜６に係る特許は、当該取消理由によって取り消すことはできない。
２　新規性及び進歩性に係る特許異議申立理由について
（１）理由１について
ア　対比
　本件発明３と甲１発明とを対比する。
（ア）甲１発明の「衣服（シャツやブラジャー）の内面に取り付け」、「電気絶縁性材料から形成され」る「可撓性布地基材２０」は、本件発明３の「衣類の生体と接触する面に固定された電気絶縁性の部材からなる取り付け部材」に相当する。
（イ）甲１発明の「導電性材料から形成され、可撓性布地基材２０の一方の面に取り付けられ」る「電極２４，２６」のうち、「皮膚絶縁層２８を設け」ていない電極部分は、本件発明３の「この取り付け部材の生体と接触する面に固定された導電性の部材からなる電極部」に相当する。
（ウ）甲１発明の「電子機器モジュール１６」は、本件発明３の「生体電気信号測定装置」に相当するところ、甲１発明の「可撓性布地基材２０に取り付けられ」、「測定されたＥＣＧ信号を」「電子機器モジュール１６に伝達」するために「接続された」「コネクタ１２，１４」は、本件発明３の「前記取り付け部材に固定された、生体電気信号測定装置との接続のためのコネクタ」に相当する。
（エ）甲１発明の「導電性材料から形成され、可撓性布地基材２０の一方の面に取り付けられ」る「コネクタ１２，１４に接続される電極２４，２６」のうち、「皮膚絶縁層２８を設け」ている「一部分」は、本件発明３の「前記取り付け部材に固定され、前記コネクタと前記電極部とを電気的に接続する配線」に相当する。
（オ）甲１発明の「コネクタ１２，１４における運動者６０の皮膚３２側と、電極２４，２６における運動者６０の皮膚３２側の一部分とに」「設ける」「皮膚絶縁層２８」は、本件発明３の「前記コネクタと前記配線の表面のうち、前記衣類の生体と接触する側を被覆する電気絶縁性の第１の絶縁部材」に相当する。
（カ）そして、甲１発明の「コネクタ１２，１４」が、「電子機器モジュール１６」との接続用の導電部を含み、この導電部が「電子機器モジュール１６」との接続のために露出することは明らかであるから、上記（ウ）を踏まえると、甲１発明の「コネクタ１２，１４は、可撓性布地基材２０に取り付けられ」ることと、本件発明３の「前記コネクタは、生体電気信号測定装置との接続用の導電部を含み、この導電部が前記衣類の生体と接触する面と反対側の面に露出するように前記取り付け部材に固定され」ることとは、「前記コネクタは、生体電気信号測定装置との接続用の導電部を含み、この導電部が露出するように前記取り付け部材に固定され」ることで共通する。
（キ）甲１発明の「電極２４，２６を備え」た「心臓活動量センサ構造１００」は、本件発明３の「生体電極」に相当する。
イ　一致点・相違点 
　してみると、本件発明３と甲１発明とは、次の点で一致し、次の各点で相違する。
（一致点）
　「衣類の生体と接触する面に固定された電気絶縁性の部材からなる取り付け部材と、
　この取り付け部材の生体と接触する面に固定された導電性の部材からなる電極部と、
　前記取り付け部材に固定された、生体電気信号測定装置との接続のためのコネクタと、
　前記取り付け部材に固定され、前記コネクタと前記電極部とを電気的に接続する配線と、
　前記コネクタと前記配線の表面のうち、前記衣類の生体と接触する側を被覆する電気絶縁性の第１の絶縁部材と、
　を備え、
　前記コネクタは、生体電気信号測定装置との接続用の導電部を含み、この導電部が露出するように前記取り付け部材に固定される、生体電極。」
（相違点１）
　取り付け部材に固定されるコネクタにおける導電部が露出する面が、本件発明３では、「前記衣類の生体と接触する面と反対側の面」、すなわち、衣類の外側であるのに対し、甲１発明では、「衣服（シャツやブラジャー）の内面」、すなわち、衣類の内側である点。
（相違点２）
　本件発明３では、「前記コネクタと前記衣類との間、および前記配線と前記衣類との間を絶縁する電気絶縁性の第２の絶縁部材」を備えるのに対し、甲１発明では、この点の特定がない点。
（相違点３）
　コネクタと電極部とを電気的に接続する配線について、本件発明３では、「前記配線は、前記衣類に形成された貫通孔を通って前記衣類の生体と接触する側の反対側に引き出され、前記コネクタにおける前記衣類の生体と接触する側の反対側と、前記電極部とを電気的に接続する」のに対し、甲１発明では、「可撓性布地基材２０の一方の面に取り付けられ」る「電極２４，２６」のうち、「皮膚絶縁層２８を設け」ている「一部分」（本件発明３の「配線」に相当する。）が、「コネクタ１２，１４における運動者６０の皮膚３２側」と電気的に「接続」する点。
ウ　判断
　事案に鑑み上記相違点３について検討する。
　甲１〜３は、いずれも本件発明３と同じ「生体電極」の技術分野に関するものであるが、上記相違点３に係る本件発明３の構成について記載も示唆もされていない。また、上記相違点３に係る本件発明３の構成が周知であるという証拠もない。そして、上記ア（エ）で述べたように、本件発明３の「前記コネクタと前記電極部とを電気的に接続する配線」に相当するものは、甲１発明の「コネクタ１２，１４に接続される電極２４，２６」のうち「皮膚絶縁層２８を設け」ている「一部分」であるところ、甲１において、「コネクタ１２，１４に接続される電極２４，２６」は、Ｆｉｇ１〜３にみられるとおり電極として平板状のものであるから、平板状「電極２４，２６」の「一部分」のみを、「衣類に形成された貫通孔を通って前記衣類の生体と接触する側の反対側に引き出」し、「コネクタにおける前記衣類の生体と接触する側の反対側と」「電気的に接続」させることは、設計上想定しておらず、そのように設計変更することの動機は存在しないといえる。
　よって、上記相違点３は、実質的な相違点であり、また、上記相違点３に係る本件発明３の構成は、甲１発明及び甲３に基づいて当業者が容易に想到し得ることでない。
エ　特許異議申立人の主張について
　令和元年８月２７日に提出された意見書において、特許異議申立人は、「（９）本件発明３の進歩性の欠如について
　さらに、上記（６）で述べたように、甲１の段落［００１６］には、「電極２４，２６は、少なくとも部分的に導電性材料（例えば、導電性シリコン、導電性の熱可塑性プラスチックおよび／または導電性の糸）から形成されていてもよい」と記載され、甲１の段落［００２８］には、「図４Ａから図５Ｃにおいて、破線は、どのように電極２４，２６と電子機器モジュール１６との間の電気的接続が提供されるかを示している。
電気的に導電するワイヤなどの電気的接続
貫通していてもよい
オ　小括
　以上のとおり、他の相違点を検討するまでもなく、本件発明３及び請求項３の記載を直接又は間接的に引用する本件発明４〜６は、甲１発明でも、甲１発明及び甲３に基づいて当業者が容易に発明をすることができたものでもないから、本件発明３〜６に係る特許は、特許法第２９条第１項又は同条第２項の規定に違反してされたものであり取り消されるべきものである、とはいえない。
（２）理由２について
ア　対比
　本件発明３と甲３発明とを対比する。
（ア）甲３発明の「衣類７の使用中にユーザの皮膚１２と接触する状態で配置されるように衣類７に一体化される」「電極３」と、本件発明３の「衣類の生体と接触する面に固定された電気絶縁性の部材からなる取り付け部材」「の生体と接触する面に固定された導電性の部材からなる電極部」とは、「衣類の生体と接触する面に固定された導電性の部材からなる電極部」の点で共通する。
（イ）甲３発明の「電子機器１４」は、本件発明３の「生体電気信号測定装置」に相当するところ、甲３発明の「衣類７に一体化される」、「電子機器１４に接続され」る「電気コネクタ５」と、本件発明３の「衣類の生体と接触する面に固定された電気絶縁性の部材からなる取り付け部材」「に固定された、生体電気信号測定装置との接続のためのコネクタ」とは、「前記衣類に固定された、生体電気信号測定装置との接続のためのコネクタ」の点で共通する。
（ウ）甲３発明の「衣類７に一体化され」、「電極３」と「電気コネクタ５」とを「接続」する「トラック４」と、本件発明３の「衣類の生体と接触する面に固定された電気絶縁性の部材からなる取り付け部材」「に固定され、前記コネクタと前記電極部とを電気的に接続する配線」とは、「前記衣類に固定され、前記コネクタと前記電極部とを電気的に接続する配線」の点で共通する。
（エ）甲３発明の「トラック４及び電気コネクタ５の雄型スタッド部分１０」を「覆」う「絶縁材８」は、本件発明３の「前記コネクタと前記配線の表面のうち、前記衣類の生体と接触する側を被覆する電気絶縁性の第１の絶縁部材」に相当する。
（オ）そして、甲３発明の「電気コネクタ５は、衣類７の外側から電子機器１４に接続され」ることから、「電気コネクタ５」の導電部が「衣類７の外側」に露出していることは明らかである。よって、上記（イ）を踏まえると、甲３発明の「電気コネクタ５は雌型クリップ部分９及び雄型スタッド部分１０を備え、これらの部分は衣類７を挟んで互いに合致し、電気コネクタ５は、衣類７の外側から電子機器１４に接続され」ることと、本件発明３の「前記コネクタは、生体電気信号測定装置との接続用の導電部を含み、この導電部が前記衣類の生体と接触する面と反対側の面に露出するように前記取り付け部材に固定され」ることとは、「前記コネクタは、生体電気信号測定装置との接続用の導電部を含み、この導電部が前記衣類の生体と接触する面と反対側の面に露出するように前記衣類に固定され」る点で共通する。
（キ）甲３発明の「生理学的信号を受信するための」「電極３」「を備える」「センサ１」は、本件発明３の「生体電極」に相当する。
イ　一致点・相違点 
　してみると、本件発明３と甲３発明とは、次の点で一致し、次の各点で相違する。
（一致点）
　「衣類の生体と接触する面に固定された導電性の部材からなる電極部と、
　前記衣類に固定された、生体電気信号測定装置との接続のためのコネクタと、
　前記衣類に固定され、前記コネクタと前記電極部とを電気的に接続する配線と、
　前記コネクタと前記配線の表面のうち、前記衣類の生体と接触する側を被覆する電気絶縁性の第１の絶縁部材と、
　を備え、
　前記コネクタは、生体電気信号測定装置との接続用の導電部を含み、この導電部が前記衣類の生体と接触する面と反対側の面に露出するように前記衣類に固定される、生体電極。」
（相違点４）
　本件発明３では、衣類の生体と接触する面に固定された「電気絶縁性の部材からなる取り付け部材」を備え、「この取り付け部材」に電極部、コネクタ、及び配線が「固定され」ているのに対し、甲３発明では、この点の特定がない点。
（相違点５）
　本件発明３では、「前記コネクタと前記衣類との間、および前記配線と前記衣類との間を絶縁する電気絶縁性の第２の絶縁部材」を備えるのに対し、甲３発明では、この点の特定がない点。
（相違点６）
　コネクタと電極部とを電気的に接続する配線について、本件発明３では、「前記配線は、前記衣類に形成された貫通孔を通って前記衣類の生体と接触する側の反対側に引き出され、前記コネクタにおける前記衣類の生体と接触する側の反対側と、前記電極部とを電気的に接続する」のに対し、甲３発明では、「電極３及びトラック４」を含む「導電層２のトラック４」（本件発明３の「配線」に相当する。）が、「電気コネクタ５」に接続する点。
ウ　判断
　事案に鑑み上記相違点６について検討する。
　甲１〜３は、いずれも本件発明３と同じ「生体電極」の技術分野に関するものであるが、上記相違点６に係る本件発明３の構成について記載も示唆もされていない。また、上記相違点６に係る本件発明３の構成が周知であるという証拠もない。そして、上記ア（ウ）で述べたように、本件発明３の「前記コネクタと前記電極部とを電気的に接続する配線」に相当するものは、甲３発明の「電極３」と「電気コネクタ５」とを「接続」する「トラック４」であるところ、甲３において、「トラック４」は、Ｆｉｇ２〜３Ｂにみられるとおり「導電層２」を形成する「電極３」と一体の平板状のもので皮膚側に設けるものであるから、平板状「トラック４」のみを、「衣類に形成された貫通孔を通って前記衣類の生体と接触する側の反対側に引き出」し、「コネクタにおける前記衣類の生体と接触する側の反対側と」「電気的に接続」させることは、設計上想定しておらず、そのように設計変更することの動機は存在しないといえる。
　よって、上記相違点６は、実質的な相違点であり、また、上記相違点６に係る本件発明３の構成は、甲３発明及び甲１に基づいて当業者が容易に想到し得ることでない。
エ　小括
　以上のとおり、他の相違点を検討するまでもなく、本件発明３及び請求項３の記載を直接又は間接的に引用する本件発明４〜６は、甲３発明でも、甲３発明及び甲１に基づいて当業者が容易に発明をすることができたものでもないから、本件発明３〜６に係る特許は、特許法第２９条第１項又は同条第２項の規定に違反してされたものであり取り消されるべきものである、とはいえない。
３　その他の特許異議申立理由について
（１）特許異議申立書において、特許異議申立人は、電極部が生体と接触すること、衣類の反対側に引き出された配線が絶縁されることを規定していない本件発明３〜６、衣類の素材が、綿、レーヨン、毛の混紡品であることを規定していない本件発明５及び６は、発明の詳細な説明に記載された、発明の課題を解決するための手段が反映されていないため、発明の詳細な説明に記載したものでない旨のサポート要件違反を主張する。
　しかしながら、本件特許明細書の発明の詳細な説明に記載された、発明の課題は、「生体電極を着衣に取り付けた後で、着衣が汗等で濡れた状態になったとしても、所望の生体電気信号を取得可能とすること」（【０００５】）、すなわち、衣類と電極部、コネクタ、配線間の短絡を防止することにあり、このために、実施例（【００５７】〜【００６６】、図８，９）のごとく、本件発明３〜６では、「電気絶縁性の部材からなる取り付け部材」、「第２の絶縁部材」が、発明の課題を解決するための手段として特定されているので、本件発明３〜６は、発明の詳細な説明に記載したものでないとはいえない。
　よって、上記主張は採用できない。
（２）特許異議申立書において、特許異議申立人は、本件発明２は明確でない旨の明確性違反を主張するが、本件補正により請求項２は削除されたので、上記主張は採用できない。
（３）特許異議申立書において、特許異議申立人は、請求項５の「固定補助布は、前記取り付け部材の固定に接着剤を用いる場合に、前記接着剤との接着力が前記衣類と前記接着剤との接着力よりも大きいものであ」るという記載は不明確である旨の明確性違反を主張するが、当該記載から、衣類と取り付け部材との間に設けられる固定補助布は、固定補助布と取り付け部材の間で用いられる接着剤の接着力が、衣類と取り付け部材の間で用いられる接着剤の接着力よりも大きいものであることが理解でき、このことは、本件特許明細書の【００２９】及び【００３０】の記載とも符合することから、本件発明５は、不明確であるとはいえない。
　よって、上記主張は採用できない。
第１０　むすび
　以上のとおりであるから、取消理由通知（決定の予告）に記載した取消理由及び特許異議申立書に記載した特許異議申立理由によっては、本件発明３〜６に係る特許を取り消すことはできない。
　また、他に本件発明３〜６に係る特許を取り消すべき理由を発見しない。
　そして、請求項１及び２に係る特許は、本件訂正により削除されたので、本件特許の請求項１及び２に対してなされた特許異議の申立てについては、対象となる請求項が存在しないものとなったため、特許法第１２０条の８第１項で準用する同法第１３５条の規定により却下する。
　よって、結論のとおり決定する。
【異議決定日】
令和１年１２月１０日（２０１９．１２．１０）
【訂正の要旨】
審決（決定）の【理由】欄参照。
（５４）【発明の名称】
生体電極および衣類
　【技術分野】
　【０００１】
　本発明は、心電図をはじめとする生体電気信号を測定するための生体電極、および生体電極が固定された衣類に関するものである。
　【背景技術】
　【０００２】
　脳波、事象関連電位、誘発電位、筋電位、心電位等の生体電気信号の記録、及び生体に対する電気刺激のために、体表面に装着する生体電極が広く使用されている。近年、個人の健康管理の手法の一つとして、長期間にわたって心電波形を記録し、その波形の変化を解析することで、自律神経の乱れや心臓病の兆候を早期に発見することができ、予防医学において有効であることが知られている。長期間にわたって心電波形を取得するため、生体電極の取り付けられた着衣（ウェアラブル電極）が注目されている（文献「Ｄａｖｉｄ　Ｍ．Ｄ．Ｒｉｂｅｉｒｏ，ｅｔ　ａｌ．，“Ａ　Ｒｅａｌ　ｔｉｍｅ，Ｗｅａｒａｂｌｅ　ＥＣＧ　ａｎｄ　Ｃｏｎｔｉｎｏｕｓ　Ｂｌｏｏｄ　Ｐｒｅｓｓｕｒｅ　Ｍｏｎｉｔｏｒｉｎｇ　Ｓｙｓｔｅｍ　ｆｏｒ　Ｆｉｒｓｔ　Ｒｅｓｐｏｎｄｅｒｓ”，３３ｒｄ　Ａｎｎｕａｌ　Ｉｎｔｅｒｎａｔｉｏｎａｌ　Ｃｏｎｆｅｒｅｎｃｅ　ｏｆ　ｔｈｅ　ＩＥＥＥ　ＥＭＢＳ，ｐｐ．６８９４−６８９８，２０１１」参照）。
　【０００３】
　一般に、ウェアラブル電極は、生体に接触する電極部、生体電気信号を測定する端末を取り付けるコネクタ、電極部とコネクタを接続する配線、電極部とコネクタと配線とを取り付けるベースとなる身生地部分とに分けられ、電極部とコネクタと配線のみに導電性が付与され、身生地は電気絶縁体で形成される。このような構成とすることで、電極部のみから所望の生体電気信号を取得することができる。
　【発明の概要】
　【発明が解決しようとする課題】
　【０００４】
　しかしながら、一般に着衣の素材は、着用時の快適さを確保するために汗や雨などの水分を吸収する素材が用いられる。電解液を含んだ着衣は電気絶縁性が失われる。このため、関連するウェアラブル電極は、着用者が発汗した時や雨天での使用時において、電極部、コネクタ、配線などの導電体と着衣との電気的な絶縁が確保できず、電極部以外の着衣部分で検出された生体電気信号が電極部から取得した生体電気信号に混入することで所望の生体電気信号を取得できなくなったり、複数の電極間が電気的に短絡することにより生体電気信号が劣化したりするといった問題点があった。なお、本来、雨は電解液ではないが、酸性雨等の影響により雨が電解液として作用する可能性がある。
　【０００５】
　本発明は、上記課題を解決するためになされたもので、生体電極を着衣に取り付けた後で、着衣が汗等で濡れた状態になったとしても、所望の生体電気信号を取得可能とすることにある。
　【課題を解決するための手段】
　【０００６】
　本発明の生体電極は、衣類の生体と接触する面に固定された電気絶縁性の部材からなる取り付け部材と、この取り付け部材の生体と接触する面に固定された導電性の部材からなる電極部と、前記取り付け部材に固定された、生体電気信号測定装置との接続のためのコネクタと、前記取り付け部材に固定され、前記コネクタと前記電極部とを電気的に接続する配線と、前記コネクタと前記配線の表面のうち、
前記衣類の生体と接触する側
、および前記配線と前記衣類との間
、前記配線は、前記衣類に形成された貫通孔を通って前記衣類の生体と接触する側の反対側に引き出され、前記コネクタにおける前記衣類の生体と接触する側の反対側と、前記電極部とを電気的に接続す
　【発明の効果】
　【０００７】
　本発明では、電気絶縁性の取り付け部材に電極部とコネクタと配線とを取り付け、配線の表面のうち、
前記衣類の生体と接触する側
　【図面の簡単な説明】
　【０００８】
　【図１】図１は、本発明の第１参考例に係るウェアラブル電極を生体に装着した様子を示す模式図である。
　【図２】図２は、本発明の第１参考例に係るウェアラブル電極の断面図である。
　【図３】図３は、本発明の第１参考例に係るウェアラブル電極の他の例を示す断面図である。
　【図４】図４は、本発明の
第２参考例
　【図５】図５は、本発明の
第２参考例
　【図６】図６は、本発明の
第２参考例
　【図７】図７は、本発明の
第２参考例
　【図８】図８は、本発明の
実施例
　【図９】図９は、本発明の
実施例
　【発明を実施するための形態】
　【０００９】
［第１参考例］
　以下、本発明の参考例および実施例に係るウェアラブル電極（生体電極）を図面に基づいて詳細に説明する。なお、以下の参考例および実施例により本発明が限定されるものではない。
　【００１０】
　図１は本発明の第１参考例に係るウェアラブル電極を生体に装着した様子を示す模式図、図２は図１のウェアラブル電極のＡ−Ａ’線断面図である。なお、図２では、１組の電極部と配線とコネクタのみについて記載している。
　本参考例のウェアラブル電極は、生体１０００（着用者）に接触する導電性繊維構造物からなる２つの電極部１１０１ａ，１１０１ｂと、電極部１１０１ａ，１１０１ｂが取得した生体電気信号を検出処理する生体電気信号測定装置を接続するためのコネクタ１１０２ａ，１１０２ｂと、電極部１１０１ａ，１１０１ｂとコネクタ１１０２ａ，１１０２ｂとを電気的に接続する配線１１０３ａ，１１０３ｂと、配線１１０３ａ，１１０３ｂの表面のうち、生体１０００と接触する部分を被覆する防水性かつ電気絶縁性の絶縁部材１１０５と、電極部１１０１ａ，１１０１ｂとコネクタ１１０２ａ，１１０２ｂと配線１１０３ａ，１１０３ｂとを固定するための防水性かつ電気絶縁性の部材からなる取り付け部材１１０６と、取り付け部材１１０６が固定される着衣１１００とから構成される。
　【００１１】
　電極部１１０１ａ，１１０１ｂの数は、１つ以上であれば特に限定されない。電極部１１０１ａ，１１０１ｂの位置は、本発明においては特に限定されず、検出対象とする生体電気信号の種類に応じて変えればよい。例えば、検出対象が心電波形であれば、生体１０００の心臓を挟んだ左右に１つずつ電極部１１０１ａ，１１０１ｂを設置すればよく、検出対象が筋電位であれば、生体１０００の対象とする筋肉上に２つの電極部１１０１ａ，１１０１ｂを設置すればよいが、電極部１１０１ａ，１１０１ｂの配置及び数は本発明を規定するものではない。
　【００１２】
　電極部１１０１ａ，１１０１ｂを構成する導電性繊維構造物は、特に限定されないが、銀、銅、金、ステンレス等の金属を細線に加工して柔軟性を付与し、布帛として構成したものや、上記金属を繊維素材にメッキしたもの、カーボンファイバー、導電性高分子を繊維素材に含浸したものなどを用いることができる。特に、導電性高分子としてポリ３、４−エチレンジオキシチオフェン（ＰＥＤＯＴ）にポリスチレンスルホン酸（ポリ４−スチレンサルフォネート；ＰＳＳ）をドープしたＰＥＤＯＴ／ＰＳＳを用い、この導電性高分子を繊維素材に含浸したものは、安全性、加工性の観点から電極部として特に好適である。
　【００１３】
　電極部１１０１ａ，１１０１ｂは、取り付け部材１１０６の生体１０００と接触する面に固定される。電極部１１０１ａ，１１０１ｂの取り付け部材１１０６への固定方法としては、電解液を含んだ際に導電体となる着衣１１００と電極１１０１ａ，１１０１ｂとが電気的に短絡することを防止するため、取り付け部材１１０６の表裏を貫通する孔を開けない手法を取ることが望ましい。具体的には、電極部１１０１ａ，１１０１ｂの外周部の少なくとも一部を粘着テープで押さえて固定する方法、接着で固定する方法などがある。
　【００１４】
　電極部１１０１ａ，１１０１ｂの接着に用いる接着剤としては、特に限定されないが、１００〜１８０℃で融着可能な樹脂を用いることができる。この樹脂の種類はポリエステル、ナイロン、ポリウレタンまたはこれらの混合物が挙げられるが、これらの樹脂に限定されるものではない。
　【００１５】
　電極部１１０１ａ，１１０１ｂの固定に使用される粘着テープとしては、厚みが１０〜１００μｍのポリウレタン、ポリエステル、ナイロン等の合成樹脂からなる無孔フィルム、気孔周辺が撥水化された微多孔フィルム、あるいは繊維間の空隙をポリウレタン、ポリエステル、ナイロン等の防水性かつ絶縁性の樹脂で予め埋めたフィルムを基材とするものが使用される。この基材の少なくとも片面にホットメルト等の接着材層を積層した防水テープが粘着テープとして特に好適である。
　【００１６】
　配線１１０３ａ，１１０３ｂとしては、取り付け部材１１０６に導電性樹脂を印刷したものや、取り付け部材１１０６に導電性樹脂のフィルムを貼り付けたもの、導電性繊維構造物からなる配線１１０３ａ，１１０３ｂの外周部の少なくとも一部を粘着テープで押さえて取り付け部材１１０６に固定したもの、あるいは導電性繊維構造物を取り付け部材１１０６に接着したものを用いることができる。
　【００１７】
　配線１１０３ａ，１１０３ｂとして導電性樹脂を印刷する場合には、取り付け部材１１０６に電極部１１０１ａ，１１０１ｂを固定した後で、電極部１１０１ａ，１１０１ｂとの電気的接続が得られるように導電性樹脂を印刷してもよいし、導電性樹脂を印刷した後で、この導電性樹脂との電気的接続が得られるように電極部１１０１ａ，１１０１ｂを取り付け部材１１０６に固定してもよい。
　【００１８】
　配線１１０３ａ，１１０３ｂとして導電性樹脂のフィルムを用いる場合には、取り付け部材１１０６に電極部１１０１ａ，１１０１ｂを固定した後で、電極部１１０１ａ，１１０１ｂとの電気的接続が得られるように導電性樹脂のフィルムを取り付け部材１１０６に貼り付けてもよいし、導電性樹脂のフィルムを貼り付けた後で、この導電性樹脂のフィルムとの電気的接続が得られるように電極部１１０１ａ，１１０１ｂを取り付け部材１１０６に固定してもよい。
　【００１９】
　配線１１０３ａ，１１０３ｂとして導電性繊維構造物を用いる場合も同様に、電極部１１０１ａ，１１０１ｂの後に配線１１０３ａ，１１０３ｂを固定してもよいし、電極部１１０１ａ，１１０１ｂよりも前に配線１１０３ａ，１１０３ｂを固定してもよいが、導電性繊維構造物を用いる場合には、電極部１１０１ａ，１１０１ｂと配線１１０３ａ，１１０３ｂとを一体成形することも可能である。
　【００２０】
　配線１１０３ａ，１１０３ｂの固定に使用される粘着テープとしては、上記と同様にポリウレタン、ポリエステル、ナイロン等の合成樹脂からなる無孔フィルム、気孔周辺が撥水化された微多孔フィルム、あるいは繊維間の空隙をポリウレタン、ポリエステル、ナイロン等の防水性かつ絶縁性の樹脂で予め埋めたフィルムを基材とするものが使用される。この基材の少なくとも片面にホットメルト等の接着材層を積層した防水テープが粘着テープとして特に好適である。
　【００２１】
　配線１１０３ａ，１１０３ｂが生体１０００と接触すると、電極部１１０１ａ，１１０１ｂで取得する生体電気信号の信号経路に対してシャント抵抗が挿入されることとなり、測定装置に入力される所望の生体電気信号が減衰してしまう。そのため、図２に示すように配線１１０３ａ，１１０３ｂを絶縁部材１１０５で覆い、生体１０００と接触しないようにするとよい。ここで、絶縁部材１１０５として上記の粘着テープを用い、配線１１０３ａ，１１０３ｂの固定と絶縁被覆とを同時に達成してもよい。
　【００２２】
　本参考例では、コネクタ１１０２ａ，１１０２ｂは、生体電気信号測定装置との接続用の導電部が生体１０００と接触する面に露出するように取り付け部材１１０６に固定される。コネクタ１１０２ａ，１１０２ｂとしては、着用者に違和感を与えないため、金属製ドットボタンや導電性を有する線ファスナー、導電性面ファスナー等、従来、着衣の脱着部に用いられる部材を用いることが好ましい。
　【００２３】
　本参考例では、電解液を含んだ際に導電体となる着衣１１００とコネクタ１１０２ａ，１１０２ｂ及び配線１１０３ａ，１１０３ｂとが電気的に短絡することを防止するため、コネクタ１１０２ａ，１１０２ｂの固定方法として、取り付け部材１１０６の表裏を貫通する孔を空けない方法を採ることが望ましい。具体的には、コネクタ１１０２ａ，１１０２ｂとして導電性面ファスナーを用いる場合には、導電性面ファスナーを粘着テープで押さえて固定する方法、あるいは接着で固定する方法などがある。導電性面ファスナーの固定に使用される粘着テープとしては、上記の防水テープが特に好適である。
　【００２４】
　一方、金属製ドットボタンのように、基材を貫通したボタンの表裏をかしめることで固定されることを前提とした形態のコネクタの場合、その本来の固定方法を採ることはできない。したがって、導電性面ファスナーと同様に、粘着テープで押さえて固定するか、接着で固定することになる。なお、金属製ドットボタンの場合は、導電性面ファスナーよりも面積が小さいので、十分な固定強度を得られない可能性がある。
　【００２５】
　取り付け部材１１０６は、防水性かつ電気絶縁性の部材であれば特に限定されず、例えばポリウレタン、ポリエステル、ナイロン等の合成樹脂素材を用いることができる。ただし、取り付け部材１１０６が繊維素材の織物や編物といった形態であると、多量の水分に暴露された際に、織り込まれた繊維と繊維の間隙に水分が担持され水滴となり、担持された水滴同士が数珠繋ぎに連結されることで、複数の電極部の間が電気的に短絡する恐れがある。
　【００２６】
　そのため、取り付け部材１１０６は、フッ素樹脂、ポリウレタン、ポリエステル、ナイロン、ポリエチレン、ポリプロピレン、塩化ビニル等の樹脂からなる無孔フィルム、気孔周辺が撥水化された微多孔フィルム、あるいは繊維間の空隙をポリエステル、ナイロン等の防水性かつ電気絶縁性の樹脂で予め埋めたフィルムであることが望ましい。また、取り付け部材１１０６は、多量の水分に暴露された際にも、電気絶縁性を維持できる部材であってもよいし、半透膜であってもよい。
　【００２７】
　取り付け部材１１０６の大きさは、電極部１１０１ａ，１１０１ｂとコネクタ１１０２ａ，１１０２ｂと配線１１０３ａ，１１０３ｂとを含む大きさであれば良い。ただし、取り付け部材１１０６表面に担持された水分同士が数珠繋ぎに連結されることで、ウェアラブル電極の導電性を有する部分（電極部１１０１ａ，１１０１ｂ、コネクタ１１０２ａ，１１０２ｂ、配線１１０３ａ，１１０３ｂ）と着衣１１００とが電気的に連結されることを防ぐため、図２に示すように、生体１０００の皮膚表面に沿って取り付け部材１１０６の外縁がウェアラブル電極の導電性を有する部分の外縁よりも外側に距離ｄ以上張り出すようにすることが望ましい。
　【００２８】
　距離ｄは、取り付け部材１１０６の材質や表面形状によって設計すべき値であり、本発明を規定するものではないが、例えば取り付け部材１１０６としてポリウレタン無孔膜を用いた場合には、距離ｄを３ｍｍ以上とすることで所期の目的を達成することができる。
　また、着用者が着衣１１００を着た際に防水性の取り付け部材１１０６が肌に触れると、汗が吸収されず不快感が生じる恐れがあるため、取り付け部材１１０６の大きさは上記の条件を満たし、かつなるべく小さくなるように設計することが望ましい。
　【００２９】
　取り付け部材１１０６の着衣１１００への固定方法としては、取り付け部材１１０６の外縁部を着衣１１００に縫い付ける方法、あるいは接着で固定する方法などがある。取り付け部材１１０６を接着剤によって着衣１１００に固定する場合、着衣１１００の素材（例えば綿、レーヨン、毛などの混紡品）と接着剤との組み合わせによっては接着力が小さく、容易に取り付け部材１１０６が剥離してしまうことがある。そのため、図３に示すように、取り付け部材１１０６と着衣１１００との間に、着衣１１００よりも接着材との接着力が大きい固定補助布１１１０を備えるとよい。
　【００３０】
　固定補助布１１１０は、ポリエステル、ナイロン、アクリル、ウレタンの少なくとも１つを含む織物、編物、不織布のうちのいずれか１つであり、特にポリエステル、ナイロン等の合成繊維を好適に用いることができる。固定補助布１１１０は、着衣１１００に縫い付けることで固定することができる。固定補助布１１１０として、接着剤との接着力が着衣１１００と接着剤との接着力よりも大きいものを用いることにより、着衣１１００に使用する素材を快適性や機能性を考慮して選択することができ、着衣１１００と接着剤との接着力が小さい場合でも、洗濯などによる剥離耐久性を維持する効果が得られる。
　【００３１】
　絶縁部材１１０５は、防水性かつ電気絶縁性の部材であれば特に限定されず、例えばポリエステル、ナイロン等の合成樹脂素材を用いることができる。取り付け部材１１０６の場合と同様に、絶縁部材１１０５が繊維素材の織物や編物といった形態であると、多量の水分に暴露された際に、織り込まれた繊維と繊維の間隙に水分が担持され水滴となり、水に含まれるイオン分を通して複数の電極部の間が電気的に短絡する恐れがある。
　【００３２】
　そのため、絶縁部材１１０５は、フッ素樹脂、ポリウレタン、ポリエステル、ナイロン等の樹脂からなる無孔フィルム、気孔周辺が撥水化された微多孔フィルム、あるいは繊維間の空隙をポリエステル、ナイロン等の防水性かつ電気絶縁性の樹脂で予め埋めたフィルムであることが望ましい。また、絶縁部材１１０５は、多量の水分に暴露された際にも、電気絶縁性を維持できる部材であってもよいし、半透膜であってもよい。
　【００３３】
　絶縁部材１１０５の大きさは、電気的に絶縁したい配線１１０３ａ，１１０３ｂを含む大きさであればよい。ただし、取り付け部材１１０６の場合と同様に、着用者が着衣１１００を着た際に防水性の部材が肌に触れると、汗が吸収されず不快感が生じる恐れがあるため、絶縁部材１１０５はなるべく小さいことが望ましい。
　【００３４】
　絶縁部材１１０５の取り付け部材１１０６への固定方法としては、絶縁部材１１０５を縫い付ける方法、あるいは接着で固定する方法などがある。上記のとおり、絶縁部材１１０５として粘着テープを使用すれば、配線１１０３ａ，１１０３ｂの固定と絶縁被覆とを同時に達成することができる。
　【００３５】
　着衣１１００の素材及び形状は特に限定されず、検出対象とする生体電気信号の種類に応じて変えればよい。例えば、心電位の取得を目的とする場合は生体１０００の心臓に近い胸部を含む着衣形状が望ましく、例えばシャツやブラジャー、腹巻きといった形状が望ましい。下肢部の筋電位の取得を目的とする場合はスパッツやパンツ、ズボンといった形状が望ましいが、本発明はかかる着衣の形状に限定されるものではない。なお、電極部１１０１ａ，１１０１ｂが０．１ｋＰａ以上２．０ｋＰａ以下の圧力で生体１０００の皮膚に密着することが望ましく、外部からベルトなどを用いて密着させてもよい。
　【００３６】
　以上のように、本参考例では、防水性かつ電気絶縁性の取り付け部材１１０６に電極部１１０１ａ，１１０１ｂとコネクタ１１０２ａ，１１０２ｂと配線１１０３ａ，１１０３ｂとを取り付け、配線１１０３ａ，１１０３ｂの表面のうち、生体１０００と接触する部分を防水性かつ電気絶縁性の絶縁部材１１０５で覆うことにより、着衣１１００が汗等で濡れた状態であっても、配線１１０３ａ，１１０３ｂと生体１０００との間の短絡、あるいは複数の電極部１１０１ａ，１１０１ｂ間の短絡を防ぐことができ、所望の生体電気信号を取得することができる。
　【００３７】
　また、本参考例では、電極部１１０１ａ，１１０１ｂとコネクタ１１０２ａ，１１０２ｂと配線１１０３ａ，１１０３ｂよりも取り付け部材１１０６の面積を大きくし、生体１０００の皮膚表面に沿って取り付け部材１１０６の外縁が電極部１１０１ａ，１１０１ｂとコネクタ１１０２ａ，１１０２ｂと配線１１０３ａ，１１０３ｂの外縁よりも外側に所定の距離ｄ以上張り出すようにしたので、着衣１１００が汗等で濡れたときに、着衣１１００の部分で検出された生体電気信号が、電極部１１０１ａ，１１０１ｂで取得する生体電気信号に混入することを防ぐことができる。
　【００３８】
　なお、本参考例では、取り付け部材１１０６の生体１０００と接触する面にコネクタ１１０２ａ，１１０２ｂを配置するため、コネクタ１１０２ａ，１１０２ｂと接続される生体電気信号測定装置側のコネクタは、生体１０００と接触しないようにコネクタ１１０２ａ，１１０２ｂを絶縁部材で覆う形態であることが望ましい。
　【００３９】
［
第２参考例
　次に、本発明の
第２参考例
第２参考例
　【００４０】
　本
参考例
　【００４１】
　電極部１１０１ａ，１１０１ｂと配線１１０３ａ，１１０３ｂについては、第１参考例と同じにすればよい。
　本
参考例
　【００４２】
　金属製ドットボタンのように、基材を貫通したボタンの表裏をかしめることで固定されることを前提とした形態のコネクタ１１０２ｃ，１１０２ｄを用いる場合、少なくとも着衣１１００の表面（生体１０００と接触する面と反対側の面）とコネクタ１１０２ｃ，１１０２ｄとの間、およびコネクタ１１０２ｃ，１１０２ｄを設けるために着衣１１００に形成された貫通孔１２００の側面とコネクタ１１０２ｃ，１１０２ｄとの間を電気的に絶縁する防水性かつ電気絶縁性の絶縁部材１１０７を設ける。
　【００４３】
　絶縁部材１１０７は、防水性かつ電気絶縁性の部材であれば特に限定されず、例えばポリエステル、ナイロン等の合成樹脂素材を用いることができる。絶縁部材１１０５の場合と同様に、絶縁部材１１０７が繊維素材の織物や編物といった形態であると、多量の水分に暴露された際に、織り込まれた繊維と繊維の間隙に水分が担持され、水に含まれるイオン分を通して複数の電極部の間が電気的に短絡する恐れがある。
　【００４４】
　そのため、絶縁部材１１０７は、フッ素樹脂、ポリウレタン、ポリエステル、ナイロン等の樹脂からなる無孔フィルム、気孔周辺が撥水化された微多孔フィルム、あるいは繊維間の空隙をポリエステル、ナイロン等の防水性かつ電気絶縁性の樹脂で予め埋めたフィルムであることが望ましい。また、絶縁部材１１０７は、多量の水分に暴露された際にも、電気絶縁性を維持できる部材であってもよいし、半透膜であってもよい。
　【００４５】
　絶縁部材１１０７には、コネクタ１１０２ｃ，１１０２ｄが通る貫通孔が予め形成されている。着衣１１００に取り付け部材１１０６を固定し、取り付け部材１１０６に電極部１１０１ａ，１１０１ｂと配線１１０３ａ，１１０３ｂとを固定した後で、着衣１１００と取り付け部材１１０６と配線１１０３ａ，１１０３ｂとに貫通孔を空ける。このとき、少なくとも着衣１１００に設けられる貫通孔１２００については、コネクタ１１０２ｃ，１１０２ｄの着衣１１００を貫通する部分よりも大きな径の孔となるようにする。
　【００４６】
　そして、貫通孔１２００に差し込むように絶縁部材１１０７を装着した後で、絶縁部材１１０７と取り付け部材１１０６と配線１１０３ａ，１１０３ｂとの貫通孔にコネクタ１１０２ｃ，１１０２ｄを挿入し、コネクタ１１０２ｃ，１１０２ｄの表裏をかしめる。これにより、コネクタ１１０２ｃ，１１０２ｄおよび絶縁部材１１０７の固定と、コネクタ１１０２ｃ，１１０２ｄの絶縁被覆と、コネクタ１１０２ｃ，１１０２ｄと配線１１０３ａ，１１０３ｂとの電気的接続を同時に達成することができる。
　【００４７】
　また、着衣１１００と取り付け部材１１０６と配線１１０３ａ，１１０３ｂとに事前に貫通孔を設けずに、着衣１１００の生体１０００と接触する面と反対側の面にシート状の絶縁部材１１０７を載せた状態で、着衣１１００と取り付け部材１１０６と配線１１０３ａ，１１０３ｂとを一度に貫通するようにコネクタ１１０２ｃ，１１０２ｄを設置してもよい。この場合、コネクタ１１０２ｃ，１１０２ｄの取り付け時の摩擦力によって取り付け部材１１０６及び絶縁部材１１０７が、コネクタ１１０２ｃ，１１０２ｄの取り付けで出来た着衣１１００の貫通孔の中に引き込まれるので、コネクタ１１０２ｃ，１１０２ｄと着衣１１００とが接触しないようにすることができ、図２の場合と同等の構造を実現することができる。
　【００４８】
　また、図６に示すように、生体電気信号測定装置との接続用の導電部を除く、コネクタ１１０２ｃ，１１０２ｄの着衣１１００と接触する部分の表面に絶縁部材１１０７を予め形成しておいてもよい。この場合、絶縁部材１１０７としては、上記の素材の他、ポリエステル系、ウレタン系、アクリレート系の絶縁材料を用いることができる。絶縁部材１１０７の形成方法としては、塗布や電着等といった方法がある。絶縁部材１１０７を予め形成しておくことにより、絶縁部材１１０７を固定する工程を簡略化することができる。
　【００４９】
　また、金属製ドットボタンのように、基材を貫通したボタンの表裏をかしめることで固定されることを前提とした形態のコネクタ１１０２ｃ，１１０２ｄを用いる場合、コネクタ１１０２ｃ，１１０２ｄに接続する生体電気信号測定装置を脱着する際の力によってコネクタ１１０２ｃ，１１０２ｄが着衣１１００から外れる可能性がある。そこで、図７に示すように、着衣１１００よりもヤング率の大きい補強部材１１０８を、コネクタ１１０２ｃ，１１０２ｄと着衣１１００との間に設けるようにするとよい。
　【００５０】
　補強部材１１０８の着衣１１００への固定方法としては、補強部材１１０８の外周部の少なくとも一部を粘着テープで押さえて固定する方法、接着で固定する方法などがある。補強部材１１０８の固定に使用される粘着テープとしては、上記の防水テープが特に好適である。また、補強部材１１０８を着衣１１００に掛止するための爪１４００を補強部材１１０８に設けるようにしてもよい。
　【００５１】
　補強部材１１０８が爪１４００を備え、かつコネクタ１１０２ｃ，１１０２ｄと接するように配置される場合、補強部材１１０８は防水性かつ電気絶縁性の素材からなる。この補強部材１１０８の素材としては、ポリエチレン、ポリ塩化ビニル、ポリスチレン、ポリプロピレン、アクリル樹脂、ＡＢＳ樹脂、ポリアミド、ポリカーボネート等の公知の有機樹脂を用いることができる。
　【００５２】
　絶縁部材１１０７と同様に、補強部材１１０８には、コネクタ１１０２ｃ，１１０２ｄが通る貫通孔が予め形成されている。上記と同様に、着衣１１００の貫通孔１２００に差し込むように絶縁部材１１０７を装着した後で、絶縁部材１１０７の上から補強部材１１０８を上記のように着衣１１００に固定する。そして、補強部材１１０８と絶縁部材１１０７と取り付け部材１１０６と配線１１０３ａ，１１０３ｂとの貫通孔にコネクタ１１０２ｃ，１１０２ｄを挿入し、コネクタ１１０２ｃ，１１０２ｄの表裏をかしめる。これにより、コネクタ１１０２ｃ，１１０２ｄと絶縁部材１１０７と補強部材１１０８の固定と、コネクタ１１０２ｃ，１１０２ｄの固定の補強と、コネクタ１１０２ｃ，１１０２ｄの絶縁被覆と、コネクタ１１０２ｃ，１１０２ｄと配線１１０３ａ，１１０３ｂとの電気的接続を同時に達成することができる。
　【００５３】
　なお、補強部材１１０８を絶縁部材１１０７と着衣１１００との間に配置することも可能である。この場合、補強部材１１０８がコネクタ１１０２ｃ，１１０２ｄと接することはないので、補強部材１１０８を導電性を持つ素材から形成してもよく、ステンレス、アルミ、真鍮等の公知の金属素材を用いることができる。また、補強部材１１０８として、着衣１１００よりもヤング率の大きい布生地を用いてもよい。
　【００５４】
　絶縁部材１１０５の素材は第１参考例と同じである。ただし、図５〜図７のようにコネクタ１１０２ｃ，１１０２ｄの一部が生体１０００と接触する側に露出する場合、コネクタ１１０２ｃ，１１０２ｄの生体１０００と接触する部分を絶縁部材１１０５で覆う必要がある。コネクタ１１０２ｃ，１１０２ｄに金属製ドットボタンボタンを用いる場合、取り付け金具の生体１０００と接触する側が予め絶縁性の樹脂で被覆されているものを用いれば、コネクタ部の絶縁部材１１０５の代わりとして用いることができる。
　取り付け部材１１０６と着衣１１００については、第１参考例と同じにすればよい。
　【００５５】
　以上のように、本
参考例
参考例
　【００５６】
　また、本
参考例
参考例
参考例
　【００５７】
［
実施例
　次に、本発明の
実施例
実施例
　【００５８】
　本実施例のウェアラブル電極は、電極部１１０１ａ，１１０１ｂと、コネクタ１１０２ｃ，１１０２ｄと、配線１１０３ｃ，１１０３ｄと、絶縁部材１１０５と、取り付け部材１１０６と、絶縁部材１１０７ａと、着衣１１００とから構成される。
　【００５９】
　電極部１１０１ａ，１１０１ｂについては、第１参考例および
第２参考例
　
第２参考例
　【００６０】
　配線１１０３ｃ，１１０３ｄの素材については、第１参考例および
第２参考例
　【００６１】
　取り付け部材１１０６ａの大きさと素材については、第１参考例および
第２参考例
　【００６２】
　絶縁部材１１０７ａの素材については、第１参考例および
第２参考例
　【００６３】
　なお、図９の例では、貫通孔１２０１の側面のうち電極部１１０１ａ，１１０１ｂ側の側面を取り付け部材１１０６ａで被覆し、コネクタ１１０２ｃ，１１０２ｄ側の側面を絶縁部材１１０７ａで被覆しているが、これに限るものではなく、貫通孔１２００の場合と同様に、貫通孔１２０１の側面を全て絶縁部材１１０７ａで被覆してもよい。
　また、取り付け部材１１０６ａが配線１１０３ｃ，１１０３ｄの表裏両面を被覆するようにしてもよい。
　【００６４】
　コネクタ１１０２ｃ，１１０２ｄを取り付けるためには、
第２参考例
　【００６５】
　そして、絶縁部材１１０７ａの上に配線１１０３ｃ，１１０３ｄを沿わせるように配置した後、配線１１０３ｃ，１１０３ｄと絶縁部材１１０７ａとの貫通孔にコネクタ１１０２ｃ，１１０２ｄを挿入し、コネクタ１１０２ｃ，１１０２ｄの表裏をかしめる。これにより、コネクタ１１０２ｃ，１１０２ｄと配線１１０３ｃ，１１０３ｄと絶縁部材１１０７ａの固定と、コネクタ１１０２ｃ，１１０２ｄの絶縁被覆と、コネクタ１１０２ｃ，１１０２ｄと配線１１０３ｃ，１１０３ｄとの電気的接続を同時に達成することができる。
　【００６６】
　絶縁部材１１０５の素材は第１参考例と同じであるが、
第２参考例
　着衣１１００については、第１参考例と同じにすればよい。なお、第１参考例で説明した固定補助布１１１０を
第２参考例
本実施例
第２参考例
本実施例
　【００６７】
［
第３参考例
　次に、本発明の
第３参考例
　【００６８】
［サンプル１］
　図１、図２に示した構造のウェアラブル電極を次に示す部材で作製した。電極部１１０１ａ，１１０１ｂは、導電成分としてＰＥＤＯＴ／ＰＳＳを１ｗｔ％、バインダーとしてアクリル系熱硬化性樹脂５ｗｔ％を分散した分散液を、ポリエステルナノファイバーのスムース組織の丸編物に対してグラビアコーティング法で薬剤塗布量が１５ｇ／ｍ２になるように塗布して作製した。
　【００６９】
　着衣１１００には、８４Ｔ−３６Ｆのポリエステル仮撚り加工糸と３３Ｔのポリウレタン弾性糸を引きそろえたものを３２ゲージ丸編み機で作製したベア天生地を使用した。配線１１０３ａ，１１０３ｂとしては、三ツ冨士繊維工業（株）製の銀メッキ糸「ＡＧｐｏｓｓ」の１１０Ｔ−３４をリボン状にしたものを使用した。絶縁部材１１０５としては、東レコーテックス（株）製のポリウレタン防水シームテープ「αＥ−１１０」を使用した。取り付け部材１１０６としては、絶縁部材１１０５と同じ防水シームテープの接着面でない面にホットメルト接着剤を用いて使用した。
　【００７０】
［サンプル２］
　上記のサンプル１と同じ部材を用いて、図３に示した構造のウェアラブル電極を作製した。電極部１１０１ａ，１１０１ｂとコネクタ１１０２ａ，１１０２ｂと配線１１０３ａ，１１０３ｂとを取り付け部材１１０６を介して固定補助布１１１０に取り付けた後、固定補助布１１１０をホットメルト接着剤により着衣１１００に固定した。固定補助布１１１０には、着衣１１００と同じ素材を用いた。
　【００７１】
［サンプル３］
　上記のサンプル２と同じ構造で、着衣１１００のみ天然素材である４０番手の綿紡績と３３Ｔのポリウレタン弾性糸を引きそろえたものを３２ゲージ丸編み機で作製したベア天生地を使用した。固定補助布１１１０は、縫い付けることにより着衣１１００に固定した。
　【００７２】
［比較例］
　上記のサンプル１と同じ部材を用いて、電極部１１０１ａ，１１０１ｂを取り付け部材１１０６を用いずに着衣１１００にホットメルト接着剤により固定したウェアラブル電極を作製した。
　【００７３】
　サンプル１〜３と比較例のウェアラブル電極を酸性人工汗液に２４時間浸漬した後、以下の通電部と絶縁部の電気抵抗及び着用時の心電図波形を測定した。その結果を表１に示す。
　【００７４】
　【表１】
　【００７５】
　通電部Ａ抵抗は電極部１１０１ａとコネクタ１１０２ａ間の電気抵抗、通電部Ｂ抵抗は電極部１１０１ｂとコネクタ１１０２ｂ間の電気抵抗、絶縁部Ａ抵抗は電極部１１０１ａと電極部１１０１ｂ間の電気抵抗、絶縁部Ｂ抵抗は電極部１１０１ａと着衣１１００間の電気抵抗、絶縁部Ｃ抵抗は電極部１１０１ｂと着衣１１００間の電気抵抗である。心電図波形の減衰の数値は、ウェアラブル電極を酸性人工汗液に浸す前の心電図波形のピーク・トゥ・ピーク（Ｐｅａｋ　ｔｏ　Ｐｅａｋ）の振幅値を基準としたときの値を示している。
　【００７６】
　測定に使用した人工汗については、ＪＩＳ　Ｌ　０８４８（２００４年）で規定された酸性人工汗液を次のとおり調整した。具体的には、酸性人工汗液は、Ｌ−ヒスチジン塩酸塩一水和物０．５ｇ、塩化ナトリウム５ｇ及びりん酸二水素ナトリウム二水和物２．２ｇを水に溶かし、これに０．１ｍｏｌ／Ｌ水酸化ナトリウム溶液約１５ｍｌと水を加えてｐＨが５．５で全容が約１Ｌになるように調整した。
　【００７７】
　表１によると、関連するウェアラブル電極と同様の構造を有する比較例では、絶縁部の抵抗値が低下し、絶縁部としての機能が損なわれており、心電図波形も約９０％減衰した。これに対して本参考例に係るサンプル１〜３では、絶縁部の絶縁性が維持されており、良好な心電図波形を示した。
　【産業上の利用可能性】
　【００７８】
　本発明は、着衣が汗などの水分を含有する状態であっても、所望の生体電気信号を取得可能とする技術に関するものである。本発明は、日常生活の健康管理、ジョギング、マラソンやその他スポーツ時の生体データの把握、建設現場や道路工事、架線保全などの屋外作業での労務管理、バスやトラックの運転手、炭鉱労働者、消防士、救助隊員などの労務管理に適用することができる。
　【符号の説明】
　【００７９】
　１０００…生体、１１０１ａ，１１０１ｂ…電極部、１１０２ａ，１１０２ｂ，１１０２ｃ，１１０２ｄ…コネクタ、１１０３ａ，１１０３ｂ，１１０３ｃ，１１０３ｄ…配線、１１０５，１１０７，１１０７ａ…絶縁部材、１１０６，１１０６ａ…取り付け部材、１１０８…補強部材、１１００…着衣、１１１０…固定補助布、１２００，１２０１…貫通孔、１４００…爪。
（５７）【特許請求の範囲】
　【請求項１】
（削除）
　【請求項２】
（削除）
　【請求項３】
　衣類の生体と接触する面に固定された電気絶縁性の部材からなる取り付け部材と、
　この取り付け部材の生体と接触する面に固定された導電性の部材からなる電極部と、
　前記取り付け部材に固定された、生体電気信号測定装置との接続のためのコネクタと、
　前記取り付け部材に固定され、前記コネクタと前記電極部とを電気的に接続する配線と、
　前記コネクタと前記配線の表面のうち、前記衣類の生体と接触する側を被覆する電気絶縁性の第１の絶縁部材と、
　前記コネクタと前記衣類との間、および前記配線と前記衣類との罰を絶縁する電気絶縁性の第２の絶縁部材とを備え、
　前記コネクタは、生体電気信号測定装置との接続用の導電部を含み、この導電部が前記衣類の生体と接触する面と反対側の面に露出するように前記取り付け部材に固定され、
　前記配線は、前記衣類に形成された貫通孔を通って前記衣類の生体と接触する側
の
における前記衣類の
の
　【請求項４】
　請求項
３に
　さらに、前記取り付け部材と前記衣類との間に設けられた固定補助布を備えることを特徴とする生体電極。
　【請求項５】
　請求項４記載の生体電極において、
　前記固定補助布は、前記取り付け部材の固定に接着剤を用いる場合に、前記接着剤との接着力が前記衣類と前記接着剤との接着力よりも大きいものであり、ポリエステル、ナイロン、アクリル、ウレタンの少なくとも１つを含む織物、編物、不織布のうちのいずれか１つであることを特徴とする生体電極。
　【請求項６】
　請求項
３